(57)【要約】      （修正有）【課題】基地局が通信デバイス間のデバイス間（Ｄ２Ｄ）直接通信を制御する通信システムを提供する。【解決手段】基地局５は、通信デバイスによるＤ２Ｄ信号の伝送用のリソースの割り当てに対する要求を受信すると、その要求に応答して、指定された無線フレーム内でＤ２Ｄ信号用に割り当てられた通信リソースを識別する情報を通信デバイスに伝送する。また、基地局は、要求側の通信デバイス付近の他の少なくとも１つの通信デバイスが受信するため、Ｄ２Ｄ信号が伝送される予定であるという表示も伝送する。【選択図】図４
2018170787.tif 000002
【特許請求の範囲】
【請求項１】
複数のシステムフレームを使用する通信システムにおいて、他の少なくとも１つのユーザ装置との間のインターフェースを介して通信を行うユーザ装置であって、前記システムフレームは、複数の無線フレームを含み、前記無線フレームは、複数のサブフレームを含み、前記サブフレームは、複数の通信リソースを含む、ユーザ装置において、
無線リソース制御（Radio Resource Control，ＲＲＣ）シグナリングにおいて、発見信号の伝送用の複数の無線フレームを識別する情報を受信するための手段と、
前記受信された情報に基づいて、複数の無線フレームを決定するための手段と、
他の少なくとも１つのユーザ装置への前記ユーザ装置による前記発見信号の伝送用の少なくとも１つの通信リソースの割り当てを要求するための要求手段と、
前記発見信号の前記伝送用に割り当てられた通信リソースを識別する情報を受信するための手段と、
前記複数の無線フレーム及び前記割り当てられた通信リソースに基づき、前記発見信号を送信するための手段と
を備える、ユーザ装置。
【発明の詳細な説明】
【技術分野】
【０００１】
本発明は、移動または固定通信デバイスに通信サービスを提供するための通信システムおよびそのコンポーネントに関する。本発明は、第三世代パートナーシッププロジェクト（３ＧＰＰ）によって現在開発されているロングタームエボリューション（ＬＴＥ）通信システムで動作するユーザ機器間の直接通信の制御と特定の関係ではあるが限定的ではない関係がある。
【背景技術】
【０００２】
３ＧＰＰ  ＬＴＥネットワークでは、無線アクセスネットワーク（ＲＡＮ）の基地局（すなわち、発展型ノードＢ、ｅＮＢ）は、コアネットワーク（ＣＮ）と基地局のサービスエリアの範囲内に位置するユーザ機器（ＵＥ）との間でデータおよび信号を伝送する。基地局とユーザ機器（例えば、携帯電話および同様のもの）との間の通信は、進化型ユニバーサル地上無線アクセス（Ｅ−ＵＴＲＡ）無線インターフェースを介して行われる。
【０００３】
最近、３ＧＰＰにより、互いに近接する携帯電話（および他の互換ユーザ機器）間のデバイス間（Ｄ２Ｄ）直接通信の可能性がもたらされた。Ｄ２Ｄ通信の場合、ユーザデータは、関与する各携帯電話とそのそれぞれの基地局との間の制御リンクを維持しながら、無線アクセスネットワークおよびコアネットワークを介してルーティングすることなく、２つ（またはそれ以上）の携帯電話間で交換される。したがって、ＬＴＥネットワークでは、Ｄ２Ｄ通信は、連続したネットワーク制御の下で、関与する携帯電話がネットワークの適用範囲内で動作している間だけ行われる。Ｄ２Ｄ手法は、基地局で利用可能な貴重な無線リソースのより効率的な使用法をもたらす。例示的なＤ２Ｄ通信および同様の近接度に基づくサービスについては、「Ｆｅａｓｉｂｉｌｉｔｙ  ｓｔｕｄｙ  ｆｏｒ  Ｐｒｏｘｉｍｉｔｙ  Ｓｅｒｖｉｃｅｓ（ＰｒｏＳｅ）」という題目の３ＧＰＰ技術報告書（ＴＲ）２２．８０３および「Ｓｔｕｄｙ  ｏｎ  ａｒｃｈｉｔｅｃｔｕｒｅ  ｅｎｈａｎｃｅｍｅｎｔｓ  ｔｏ  ｓｕｐｐｏｒｔ  Ｐｒｏｘｉｍｉｔｙ  Ｓｅｒｖｉｃｅｓ（ＰｒｏＳｅ）」という題目の３ＧＰＰ  ＴＲ２３．７０３で提示されており、それらの内容は、参照により本明細書に組み込まれる。
【０００４】
Ｄ２Ｄ通信（および他の近接度に基づくサービス）から利益を得るため、携帯電話は、（携帯電話のそれぞれの基地局の制御の下で）携帯電話間で適切な直接通信ベアラをセットアップすることができるように、近接する（例えば、その通信範囲内にいる）他の携帯電話を発見して識別できる必要がある。
【発明の概要】
【発明が解決しようとする課題】
【０００５】
しかし、現在提案されている発見メカニズムは、電力消費量および発見レイテンシの最小化のしばしば相反する要件間の最適なトレードオフ、効率的かつ効果的な方式で負荷を管理できるほど十分な柔軟性、最適な干渉／コンテンション回避、発見プロセスに参加するデバイスの潜在的に多種多様な情報伝送の必要性に対処できるほど十分な柔軟性、以前の通信技術との適切な後方互換性、デバイス間信号伝達に対する潜在的な将来の需要を満たせるほど十分なスケーラビリティ、および／または、同様のものを提供しない傾向にある。さらに、現在提案されている発見メカニズムは、発見を行えるようにすることができる地理的範囲が制限される傾向にある。
【０００６】
例えば、位置サービス（または同様のもの）に基づく発見メカニズムは、携帯電話をネットワークに接続する必要がある。その上、現在提案されている発見メカニズムは、コアネットワークの観点からデバイスが互いに近接しているように検出された場合でも、デバイス間の不十分な無線リンク状態が原因で（例えば、他の伝送デバイスによって生じる干渉が原因で）、デバイスは依然として互いに直接通信を行えない場合があるという欠点を有する。
【０００７】
したがって、本発明は、上記の問題のうちの１つまたは複数を克服するかまたは少なくとも軽減する、改良された通信システムおよび通信システムの改良されたコンポーネントを提供することを目的とする。
【課題を解決するための手段】
【０００８】
一態様では、本発明は、複数のシステムフレームを使用する通信システムにおける他の少なくとも１つの通信デバイスから直接、デバイス間（Ｄ２Ｄ）通信を受信するための通信デバイスであって、各システムフレームは、複数の無線フレームに細分され、各無線フレームは、複数のサブフレームに細分され、各サブフレームは、複数の通信リソースを含む、通信デバイスを提供する。通信デバイスは、前記通信デバイス付近の他の少なくとも１つの通信デバイスによってＤ２Ｄ信号の通信用に指定された少なくとも１つの無線フレームを識別する情報を入手するための手段と、前記指定された少なくとも１つの無線フレーム内で他の少なくとも１つの通信デバイスからＤ２Ｄ信号が伝送される予定であるという表示を、前記指定された少なくとも１つの無線フレーム内で傾聴するための手段と、前記傾聴手段によって、Ｄ２Ｄ信号が伝送される予定であるという表示が前記少なくとも１つの無線フレーム内に存在することが分かった際に、前記他の少なくとも１つの通信デバイスからＤ２Ｄ信号を受信するための手段とを備える。
【０００９】
Ｄ２Ｄ信号が伝送される予定であるという表示は、他の少なくとも１つの通信デバイスによってＤ２Ｄ信号の伝送用に割り当てられた通信リソース、および、他の少なくとも１つの通信デバイスによってＤ２Ｄ信号の伝送用に指定された少なくとも１つのサブフレーム、の少なくとも１つを識別することができる。
【００１０】
Ｄ２Ｄ信号が伝送される予定であるという表示は、少なくとも１つのサブフレームを識別することができ、前記少なくとも１つのサブフレームは、事前に定義された数のサブフレームを含み得る。
【００１１】
Ｄ２Ｄ信号が伝送される予定であるという表示は、現在の無線フレーム、または、前記現在の無線フレームおよび少なくとも１つの後続の無線フレームを含む連続無線フレームセットにおいて、前記他の少なくとも１つの通信デバイスによってＤ２Ｄ信号の伝送用に割り当てられた通信リソースを識別することができる。この場合、連続無線フレームセットは、事前に定義された数の無線フレームを含み得る。
【００１２】
Ｄ２Ｄ信号が伝送される予定であるという表示は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを含み得る。
【００１３】
Ｄ２Ｄ信号が伝送される予定であるという表示は、他の複数の通信デバイスの各々に対し、その通信デバイスによってＤ２Ｄ信号の伝送用に割り当てられたそれぞれの通信リソース、および、その通信デバイスによってＤ２Ｄ信号の伝送用に指定された少なくとも１つのそれぞれのサブフレーム、の少なくとも１つを識別することができる。
【００１４】
入手手段は、基地局からブロードキャスト信号（例えば、システム情報ブロードキャスト信号）または専用信号（例えば、無線リソース制御（ＲＲＣ）信号）を受信することによって、指定された少なくとも１つの無線フレームを識別する前記情報を入手するように動作可能であり得る。
【００１５】
傾聴手段は、前記指定された少なくとも１つの無線フレームの間、（例えば、基地局による）信号ブロードキャスト内で、Ｄ２Ｄ信号が伝送される予定であるという前記表示を受信するように動作可能であり得る。表示は、共有チャネル（例えば、物理ダウンリンク共有チャネルまたは「ＰＤＳＣＨ」）および／または制御チャネル（例えば、物理ダウンリンク制御チャネルまたは「ＰＤＣＣＨ」）上で伝送することができる。
【００１６】
入手手段は、前記通信システムに対する識別子（例えば、発見／Ｄ２Ｄ無線ネットワーク識別子）を入手するように動作可能であり得、表示には、前記通信システムに対する前記識別子によってスクランブルをかけることができる。
【００１７】
特定のシステムフレームの各無線フレームは、インデックス番号（例えば、システムフレームインデックス番号または「ＳＦＮ」インデックス）によって一意的に識別することができ、Ｄ２Ｄ信号の通信用に指定された前記少なくとも１つの無線フレームを識別する情報は、指定された無線フレームの各々に対するそれぞれのインデックス番号を識別する情報を含み得る。
【００１８】
それぞれのインデックス番号を識別する情報は、Ｄ２Ｄ信号の通信用に指定された無線フレームの各々を識別するためのフレームパターン（例えば、発見／Ｄ２Ｄフレームパターン）を識別する情報を含み得る。
【００１９】
傾聴手段は、Ｄ２ＤアイドルモードまたはＤ２Ｄアクティブモードで選択的に動作したり、Ｄ２Ｄ信号の通信用に指定された前記少なくとも１つの無線フレームの間、前記Ｄ２Ｄアクティブモードに切り替えたりするように構成することができる。
【００２０】
入手手段は、前記通信デバイスが属する通信デバイスグループを一意的に識別する情報を入手するように動作可能であり得る。この場合、表示には、前記グループを一意的に識別する前記情報によってスクランブルをかけることができる。Ｄ２Ｄ信号の通信用に指定された少なくとも１つの無線フレームは、前記グループの通信デバイスによるＤ２Ｄ信号の通信のために確保することができる。
【００２１】
Ｄ２Ｄ信号は、他の少なくとも１つの通信デバイスが前記通信デバイス付近にあることを示す発見信号を含み得る。
【００２２】
一態様では、本発明は、複数のシステムフレームを使用する通信システムにおける他の少なくとも１つの通信デバイスが受信するためのデバイス間（Ｄ２Ｄ）通信を伝送するための通信デバイスであって、各システムフレームは、複数の無線フレームに細分され、各無線フレームは、複数のサブフレームに細分され、各サブフレームは、複数の通信リソースに細分される、通信デバイスを提供する。通信デバイスは、Ｄ２Ｄ信号の通信用に指定された少なくとも１つの無線フレームを識別する情報を入手するための手段と、前記通信デバイス付近の他の少なくとも１つの通信デバイスへの前記通信デバイスによるＤ２Ｄ信号の伝送用の少なくとも１つの通信リソースの割り当てを要求するための手段と、前記指定された少なくとも１つの無線フレーム内で前記Ｄ２Ｄ信号の通信用に割り当てられた通信リソースを識別する情報を受信するための手段と、付近の他の少なくとも１つの通信デバイスが受信するため、前記指定された少なくとも１つの無線フレームで割り当てられた通信リソースを使用して、Ｄ２Ｄ信号を伝送するための手段とを備える。
【００２３】
要求手段は、アップリンクチャネル（例えば、物理アップリンク共有チャネルまたは「ＰＵＳＣＨ」）上で信号メッセージを基地局に送信することによって、前記少なくとも１つの通信リソースの前記割り当てを要求するように動作可能であり得る。
【００２４】
要求手段は、少なくとも１つのメディアアクセス制御（ＭＡＣ）制御要素（ＣＥ）（例えば、「Ｄ２Ｄリソース要求」ＣＥまたは「発見リソース要求」ＣＥ）を基地局に送信することによって、前記少なくとも１つの通信リソースの前記割り当てを要求するように動作可能であり得る。この場合、少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかけることができる。
【００２５】
受信手段は、ダウンリンクチャネル（例えば、物理ダウンリンク制御チャネル（ＰＤＣＣＨ）または物理ダウンリンク共有チャネル（ＰＤＳＣＨ））を介して基地局から制御情報を受信するように動作可能であり得、制御情報は、前記Ｄ２Ｄ信号の通信用に割り当てられた通信リソースを識別する前記情報を含む。
【００２６】
制御情報は、少なくとも１つのダウンリンク制御情報（ＤＣＩ）フォーマットパラメータを含み得る。少なくとも１つのＤＣＩフォーマットパラメータには、前記通信システムにおける前記通信デバイスに対する前記一時識別子（例えば、セル−無線ネットワーク一時識別子または「ＣＲＮＴＩ」もしくは「Ｔ−ＣＲＮＴＩ」）を使用してスクランブルをかけることができる。
【００２７】
制御情報は、少なくとも１つのＭＡＣ  ＣＥ（例えば、「Ｄ２Ｄリソース応答」ＣＥまたは「発見リソース応答」ＣＥ）を含み得る。この場合、少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかけることができる。
【００２８】
伝送手段は、付近の他の少なくとも１つの通信デバイスが受信するため、アップリンクチャネル（例えば、物理アップリンク共有チャネルまたは「ＰＵＳＣＨ」）上で、前記Ｄ２Ｄ信号を伝送するように動作可能であり得る。
【００２９】
指定された少なくとも１つの無線フレームは、現在の無線フレーム、または、前記現在の無線フレームおよび少なくとも１つの後続の無線フレームを含む連続無線フレームセット、を含み得る。
【００３０】
通信デバイスは、前記通信システムに対する識別子（例えば、発見／Ｄ２Ｄ無線ネットワーク識別子）を入手するための手段をさらに備え得、その場合、Ｄ２Ｄ信号には、前記通信システムに対する前記識別子によってスクランブルをかけることができる。前記通信システムに対する識別子は、前記通信デバイスに一意的に割り当てられたオフセットパラメータを含み得る。
【００３１】
前記Ｄ２Ｄ信号の通信用に割り当てられた通信リソースを識別する情報は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを含み得る。
【００３２】
Ｄ２Ｄ信号は、前記通信デバイス付近の他の少なくとも１つの通信デバイスに前記通信デバイスのプレゼンスを示すための発見信号を含み得る。
【００３３】
通信デバイスは、ロングタームエボリューション（ＬＴＥ）規格による、携帯電話、タブレットコンピュータおよび他のユーザ機器の少なくとも１つを含み得る。
また、本発明は、複数のシステムフレームを使用する通信システムにおける通信デバイス間のデバイス間（Ｄ２Ｄ）直接通信を制御するための装置であって、各システムフレームは、複数の無線フレームに細分され、各無線フレームは、複数のサブフレームに細分され、各サブフレームは、複数の通信リソースに細分される、装置も提供する。装置は、セルを操作するための手段と、前記通信デバイスの少なくとも１つによってＤ２Ｄ信号の通信用に指定された少なくとも１つの無線フレームを識別する情報を、セル内で、前記通信デバイスの他の少なくとも１つに伝送する手段と、第１の通信デバイス付近の他の少なくとも１つの通信デバイスへの前記第１の通信デバイスによるＤ２Ｄ信号の伝送用の少なくとも１つの通信リソースの割り当てに対する要求を受信する手段とを備える。伝送手段は、前記要求に応答して、前記指定された少なくとも１つの無線フレーム内で前記Ｄ２Ｄ信号の通信用に割り当てられた通信リソースを識別する情報を、前記第１の通信デバイスに伝送し、前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送するように構成される。
【００３４】
受信手段は、前記第１の通信デバイスから、アップリンクチャネル（例えば、物理アップリンク共有チャネルまたは「ＰＵＳＣＨ」）上で少なくとも１つの信号メッセージを受信することによって前記要求を受信するように動作可能であり得る。
【００３５】
受信手段は、前記第１の通信デバイスから、少なくとも１つのメディアアクセス制御（ＭＡＣ）制御要素（ＣＥ）（例えば、「Ｄ２Ｄリソース要求」ＣＥまたは「発見リソース要求」ＣＥ）を受信することによって前記要求を受信するように動作可能であり得る。この場合、少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかけることができる。
【００３６】
伝送手段は、前記割り当てられた通信リソースを識別する少なくとも１つのダウンリンク制御情報（ＤＣＩ）フォーマットパラメータを前記通信デバイスの前記少なくとも１つに送信することによって、前記Ｄ２Ｄ信号の通信用に割り当てられた通信リソースを識別する前記情報を伝送するように動作可能であり得る。この場合、少なくとも１つのＤＣＩフォーマットパラメータには、前記通信システムにおける前記第１の通信デバイスに対する一時識別子（例えば、セル−無線ネットワーク一時識別子または「ＣＲＮＴＩ」もしくは「Ｔ−ＣＲＮＴＩ」）を使用してスクランブルをかけることができる。
【００３７】
伝送手段は、少なくとも１つのＭＡＣ  ＣＥ（例えば、「Ｄ２Ｄリソース応答」ＣＥまたは「発見リソース応答」ＣＥ）を前記通信デバイスの前記少なくとも１つに送信することによって、前記Ｄ２Ｄ信号の通信用に割り当てられた通信リソースを識別する前記情報を伝送するように動作可能であり得る。この場合、少なくとも１つのＭＡＣ  ＣＥには、前記通信システムにおける前記第１の通信デバイスに対する前記一時識別子（例えば、セル−無線ネットワーク一時識別子または「ＣＲＮＴＩ」もしくは「Ｔ−ＣＲＮＴＩ」）を使用してスクランブルをかけることができる。
【００３８】
少なくとも１つの割り当てられた通信リソースは、アップリンクチャネル（例えば、物理アップリンク共有チャネルまたは「ＰＵＳＣＨ」）で割り当てられた通信リソースを含み得る。伝送手段は、ダウンリンクチャネル（例えば、物理ダウンリンク制御チャネル（ＰＤＣＣＨ）または物理ダウンリンク共有チャネル（ＰＤＳＣＨ））上で前記表示を伝送するように動作可能であり得る。
【００３９】
少なくとも１つの割り当てられた通信リソースは、現在の無線フレーム、または、前記現在の無線フレームおよび少なくとも１つの後続の無線フレームを含む連続無線フレームセット、の通信リソースを含み得る。
【００４０】
伝送手段は、前記通信システムに対する識別子（例えば、発見／Ｄ２Ｄ無線ネットワーク識別子）を使用して前記Ｄ２Ｄ信号にスクランブルをかけるため、前記通信システムに対する前記識別子を前記通信デバイスに伝送するように動作可能であり得る。この場合、前記通信システムに対する識別子は、各通信デバイスに一意的に割り当てられたそれぞれのオフセットパラメータを含み得る。
【００４１】
前記Ｄ２Ｄ信号の通信用に割り当てられた通信リソースを識別する情報は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを一意的に識別するパラメータセットの表示を含み得る。
【００４２】
伝送手段は、前記他の少なくとも１つの通信デバイスに、ブロードキャスト信号（例えば、システム情報ブロードキャスト信号）または専用信号（例えば、無線リソース制御（ＲＲＣ）信号）を伝送することによって、前記表示を伝送するように動作可能であり得る。
【００４３】
伝送手段は、Ｄ２Ｄ信号の通信用に指定された前記少なくとも１つの無線フレームの間、ブロードキャスト信号を伝送することによって、前記表示を伝送するように動作可能であり得る。
【００４４】
伝送手段は、前記通信システムに対する識別子（例えば、発見／Ｄ２Ｄ無線ネットワーク識別子）を伝送するように動作可能であり得、前記表示には、前記通信システムに対する前記識別子によってスクランブルをかけることができる。
【００４５】
特定のシステムフレームの各無線フレームは、インデックス番号（例えば、システムフレームインデックス番号または「ＳＦＮ」インデックス）によって一意的に識別することができ、Ｄ２Ｄ信号の通信用に指定された前記少なくとも１つの無線フレームを識別する前記情報は、指定された無線フレームの各々に対するそれぞれのインデックス番号を識別する情報を含み得る。
【００４６】
それぞれのインデックス番号を識別する情報は、Ｄ２Ｄ信号の通信用に指定された無線フレームの各々を識別するためのフレームパターン（例えば、発見／Ｄ２Ｄフレームパターン）を識別する情報を含み得る。
【００４７】
表示は、Ｄ２Ｄ信号の通信用に指定された前記少なくとも１つの無線フレームの少なくとも１つのサブフレームを識別することができる。この場合、少なくとも１つのサブフレームセットは、事前に定義された数のサブフレームを含み得る。
【００４８】
指定された少なくとも１つの無線フレームは、現在の無線フレーム、または、前記現在の無線フレームおよび少なくとも１つの後続の無線フレームを含む連続無線フレームセット、を含み得る。連続無線フレームセットは、事前に定義された数の無線フレームを含み得る。
【００４９】
表示は、前記第１の通信デバイスによってＤ２Ｄ信号の前記伝送用に割り当てられた特定の通信リソースを識別することができる。例えば、特定の通信リソースの表示は、無線フレーム識別子（例えば、無線フレームインデックス番号または「ＳＦＮ」）、サブフレーム識別子（例えば、サブフレームインデックス番号）、リソースブロック識別子、および、前記第１の通信デバイスによる前記Ｄ２Ｄ信号の伝送の間に使用される予定の伝送電力の特性、の少なくとも１つを含み得る。
【００５０】
伝送手段は、前記第１の通信デバイスおよび前記他の少なくとも１つの通信デバイスが属する通信デバイスグループを一意的に識別する情報を伝送するように動作可能であり得る。この場合、表示には、前記グループを一意的に識別する前記情報によってスクランブルをかけることができる。Ｄ２Ｄ信号の通信用に指定された少なくとも１つの無線フレームは、前記グループの通信デバイスによるＤ２Ｄ信号の通信のために確保することができる。
【００５１】
Ｄ２Ｄ信号は、第１の通信デバイス付近の他の少なくとも１つの通信デバイスに前記第１の通信デバイスのプレゼンスを示すための発見信号を含み得る。
【００５２】
それは、ロングタームエボリューション（ＬＴＥ）規格による、基地局およびユーザ機器（例えば、クラスタヘッドユーザ機器）の少なくとも１つを含み得る。
【００５３】
また、本発明は、複数のシステムフレームを使用する通信システムにおける他の少なくとも１つの通信デバイスから直接、デバイス間（Ｄ２Ｄ）通信を受信するための通信デバイスであって、各システムフレームは、複数の無線フレームに細分され、各無線フレームは、複数のサブフレームに細分され、各サブフレームは、複数の通信リソースを含む、通信デバイスであり、プロセッサとトランシーバとを備える、通信デバイスも提供する。プロセッサは、前記通信デバイス付近の他の少なくとも１つの通信デバイスによってＤ２Ｄ信号の通信用に指定された少なくとも１つの無線フレームを識別する情報を入手するように構成される。トランシーバは、前記指定された少なくとも１つの無線フレーム内で他の少なくとも１つの通信デバイスからＤ２Ｄ信号が伝送される予定であるという表示を、前記指定された少なくとも１つの無線フレーム内で傾聴し、Ｄ２Ｄ信号が伝送される予定であるという表示が前記少なくとも１つの無線フレーム内に存在することが分かった際に、前記他の少なくとも１つの通信デバイスからＤ２Ｄ信号を受信するように構成される。
【００５４】
また、本発明は、複数のシステムフレームを使用する通信システムにおける他の少なくとも１つの通信デバイスが受信するためのデバイス間（Ｄ２Ｄ）通信を伝送するための通信デバイスであって、各システムフレームは、複数の無線フレームに細分され、各無線フレームは、複数のサブフレームに細分され、各サブフレームは、複数の通信リソースに細分される、通信デバイスであり、プロセッサとトランシーバとを備える、通信デバイスも提供する。プロセッサは、Ｄ２Ｄ信号の通信用に指定された少なくとも１つの無線フレームを識別する情報を入手するように構成される。トランシーバは、前記通信デバイス付近の他の少なくとも１つの通信デバイスへの前記通信デバイスによるＤ２Ｄ信号の伝送用の少なくとも１つの通信リソースの割り当てを要求し、前記指定された少なくとも１つの無線フレーム内で前記Ｄ２Ｄ信号の通信用に割り当てられた通信リソースを識別する情報を受信し、付近の他の少なくとも１つの通信デバイスが受信するため、前記指定された少なくとも１つの無線フレームで割り当てられた通信リソースを使用して、Ｄ２Ｄ信号を伝送するように構成される。
【００５５】
また、本発明は、複数のシステムフレームを使用する通信システムにおける通信デバイス間のデバイス間（Ｄ２Ｄ）直接通信を制御するための装置であって、各システムフレームは、複数の無線フレームに細分され、各無線フレームは、複数のサブフレームに細分され、各サブフレームは、複数の通信リソースに細分される、装置であり、プロセッサとトランシーバとを備える、装置も提供する。トランシーバは、前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送し、第１の通信デバイス付近の他の少なくとも１つの通信デバイスへの前記第１の通信デバイスによるＤ２Ｄ信号の伝送用の少なくとも１つの通信リソースの割り当てに対する要求を受信し、前記要求に応答して、前記指定された少なくとも１つの無線フレーム内で前記Ｄ２Ｄ信号の通信用に割り当てられた通信リソースを識別する情報を前記第１の通信デバイスに伝送し、前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送するように動作可能である。
【００５６】
また、本発明は、上記で説明される通信デバイスおよび上記で説明される装置の少なくとも１つを備えるシステムも提供する。
【００５７】
また、本発明は、複数のシステムフレームを使用する通信システムにおける他の少なくとも１つの通信デバイスから直接、デバイス間（Ｄ２Ｄ）通信を受信するための通信デバイスによって実行される方法であって、各システムフレームは、複数の無線フレームに細分され、各無線フレームは、複数のサブフレームに細分され、各サブフレームは、複数の通信リソースを含む、方法であり、前記通信デバイス付近の他の少なくとも１つの通信デバイスによってＤ２Ｄ信号の通信用に指定された少なくとも１つの無線フレームを識別する情報を入手するステップと、前記指定された少なくとも１つの無線フレーム内で他の少なくとも１つの通信デバイスからＤ２Ｄ信号が伝送される予定であるという表示を、前記指定された少なくとも１つの無線フレーム内で傾聴するステップと、前記傾聴の間に、Ｄ２Ｄ信号が伝送される予定であるという表示が前記少なくとも１つの無線フレーム内に存在することが分かった際に、前記他の少なくとも１つの通信デバイスからＤ２Ｄ信号を受信するステップとを含む、方法も提供する。
【００５８】
また、本発明は、複数のシステムフレームを使用する通信システムにおける他の少なくとも１つの通信デバイスが受信するためのデバイス間（Ｄ２Ｄ）通信を伝送するための通信デバイスによって実行される方法であって、各システムフレームは、複数の無線フレームに細分され、各無線フレームは、複数のサブフレームに細分され、各サブフレームは、複数の通信リソースに細分される、方法であり、Ｄ２Ｄ信号の通信用に指定された少なくとも１つの無線フレームを識別する情報を入手するステップと、前記通信デバイス付近の他の少なくとも１つの通信デバイスへの前記通信デバイスによるＤ２Ｄ信号の伝送用の少なくとも１つの通信リソースの割り当てを要求するステップと、前記指定された少なくとも１つの無線フレーム内で前記Ｄ２Ｄ信号の通信用に割り当てられた通信リソースを識別する情報を受信するステップと、付近の他の少なくとも１つの通信デバイスが受信するため、前記指定された少なくとも１つの無線フレームで割り当てられた通信リソースを使用して、Ｄ２Ｄ信号を伝送するステップとを含む、方法も提供する。
【００５９】
また、本発明は、複数のシステムフレームを使用する通信システムにおける通信デバイス間のデバイス間（Ｄ２Ｄ）直接通信を制御するための装置によって実行される方法であって、各システムフレームは、複数の無線フレームに細分され、各無線フレームは、複数のサブフレームに細分され、各サブフレームは、複数の通信リソースに細分される、方法であり、前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送するステップと、第１の通信デバイス付近の他の少なくとも１つの通信デバイスへの前記第１の通信デバイスによるＤ２Ｄ信号の伝送用の少なくとも１つの通信リソースの割り当てに対する要求を受信するステップと、前記要求に応答して、前記指定された少なくとも１つの無線フレーム内で前記Ｄ２Ｄ信号の通信用に割り当てられた通信リソースを識別する情報を前記第１の通信デバイスに伝送するステップと、前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送するステップとを含む、方法も提供する。
【００６０】
本発明の別の態様は、上記で説明される通信デバイスとしてまたは上記で説明される基地局としてプログラマブルコンピュータデバイスを構成させるためのコンピュータ実装可能命令を含むコンピュータプログラム製品を提供する。
【００６１】
また、本発明は、搬送波信号上または記録媒体（ＣＤ、ＤＶＤまたは同様のものなど）上で提供することができる、対応するシステム、方法およびコンピュータソフトウェア製品も提供する。
【図面の簡単な説明】
【００６２】
ここで、添付の図を参照して、単なる例示として、本発明の実施形態について説明する。
【００６３】
【図１】本発明の実施形態を適用することができるテレコミュニケーションシステムを概略的に示す。
【００６４】
【図２】図１に示されるシステムの一部を形成する携帯電話の主なコンポーネントを示すブロック図である。
【００６５】
【図３】図１に示されるシステムの一部を形成する基地局の主なコンポーネントを示すブロック図である。
【００６６】
【図４】図１のテレコミュニケーションシステムの実施形態による、発見手順を実行する際にモバイルテレコミュニケーションシステムのコンポーネントによって実行される例示的な方法を示すタイミング図である。
【００６７】
【図５】本発明の実施形態による、例示的な無線フレーム構造を概略的に示す。
【００６８】
【図６】図５の無線フレーム構造を使用することができる例示的なシナリオを概略的に示す。
【００６９】
【図７】図５の無線フレーム構造を使用することができるさらなる例示的なシナリオを概略的に示す。
【発明を実施するための形態】
【００７０】
要旨
図１は、ユーザ機器３（この例では、複数の携帯電話３−１〜３−４を含む）と、セル６を操作する基地局５とを含むモバイル（セルラ）テレコミュニケーションシステム１を概略的に示す。基地局５は、「Ｓ１」インターフェースを介してコアネットワーク７と結合され、コアネットワーク７もまた、１つまたは複数のゲートウェイ（図示せず）を介して他のネットワーク（例えば、インターネット８）と結合される。基地局５とコアネットワーク７との間の「Ｓ１」インターフェースは、例えば、高速の高帯域通信リンク（光ファイバリンクまたは同様のものなど）を利用することができる。
【００７１】
また、「Ｘ２」インターフェース（図示せず）を近隣の基地局間に提供して、近隣基地局間のデータ交換（例えば、近接サービスに関連するデータ交換）を容易にすることもできる。当業者であれば、例示を目的として図１では４つの携帯電話３および１つの基地局５が示されているが、追加のユーザ機器および基地局が配備システムに存在し得ることが理解されよう。
【００７２】
コアネットワーク７は、中でも特に、多くの近接度に基づくサービス（例えば、物理的に近接するモバイルを発見し、モバイル間の最適通信を可能にするサービス）を携帯電話３（およびその各ユーザ）に提供する近接サービス（ＰｒｏＳｅ）サーバ９を含む。また、コアネットワーク７は、例えば、移動管理エンティティ（ＭＭＥ）、ホーム加入者サーバ（ＨＳＳ）、サービングゲートウェイ（ＳＧＷ）、パケットデータネットワーク（ＰＤＮ）ゲートウェイ（ＰＧＷ）などの他の一般的に知られているエンティティも含むが、簡単にするため、これらも省略されている。
【００７３】
図１に示される例示的なシステムでは、第１の携帯電話３−１と第２の携帯電話３−２は両方とも、第１の携帯電話３−１および第２の携帯電話３−２と基地局５との間で「Ｕｕ」無線インターフェースの何らかの進化を使用して、同じ基地局５によるサービス提供を受ける（しかし、他のシステムでは、第１の携帯電話３−１および第２の携帯電話３−２は、同じまたは異なるネットワークオペレータによって操作される異なる基地局によるサービス提供を受けることができる）。したがって、第１の携帯電話３−１と第２の携帯電話３−２との間のいかなるユーザデータも、通常は、サービング基地局５を介して（次いで、「Ｓ１」インターフェースを使用してコアネットワーク７を介して）伝送される。しかし、携帯電話３−１および３−２が互いに近くにいる（そして、Ｄ２Ｄ通信をサポートすることが知られている）と、（基地局５または１つもしくは複数の携帯電話３のいずれかにより）判断されると、基地局５は、第１の携帯電話３−１と第２の携帯電話３−２との間で通信リンク（例えば、無線ベアラもしくは同様のものを使用する双方向通信リンク、または、一方向のブロードキャスト、マルチキャストもしくはユニキャスト通信リンク）をセットアップすることができる。他の例では、そのような通信リンクのセットアップは、携帯電話３がトリガすることができる。次いで、この通信リンク（図１では、「Ｄ２Ｄ」と示される）は、第１の携帯電話３−１および第２の携帯電話３−２が、基地局５を介してユーザデータをルーティングする必要もなく、第１の携帯電話３−１と第２の携帯電話３−２との間でそのようなユーザデータを交換するために使用することができる（したがって、そのそれぞれの「Ｕｕ」インターフェース上および「Ｓ１」インターフェース上の負荷を軽減する）。
【００７４】
しかし、第１の携帯電話３−１および第２の携帯電話３−２は、そのような直接通信リンクをセットアップし、それを使用して通信できるようになる前に、適切な制御メッセージを交換することによって互いを発見して識別する必要がある。これは、Ｄ２Ｄ発見または近接発見プロセスと呼ばれる。
【００７５】
図４に示される例示的なシステムでは、相互発見を行うことが可能な携帯電話の相互発見を容易にするため、ＲＡＮ（この例では、基地局５）は、セル６内の携帯電話３に発見構成パラメータをブロードキャストする。発見構成パラメータは、例えば、システム情報ブロードキャスト（ＳＩＢ）メッセージを使用して、ブロードキャストすることができる。しかし、個々の（またはグループの）携帯電話を構成するために無線リソース制御（ＲＲＣ）メッセージなどの専用メッセージも使用できることが理解されよう。ＳＩＢメッセージを使用する利益としては、ＲＲＣメッセージは、基地局５のセル６内に位置することが知られているアクティブな携帯電話にしか送信できないが、ＳＩＢメッセージは、アクティブなＲＲＣ接続を有する携帯電話ばかりでなく、アクティブなＲＲＣ接続を有さないアイドル状態の携帯電話にも送信できるということにある。
【００７６】
有益には、ＳＩＢ（またはＲＲＣ）メッセージに含まれる発見構成パラメータは、携帯電話３によって送信／受信される発見情報のスクランブル／スクランブル解読のためのパラメータと、基地局５による発見通知の伝送用に指定されたフレームを識別するパラメータとを含む。基地局５によって送信される発見通知は、１つまたは複数の携帯電話から発見情報伝送が来ることを示す。有利には、この例では、通知が関連するいかなる発見情報伝送も、同じ無線フレームで始まり、必要な場合は、１つまたは複数の直後の無線フレームで続けられる。そのような指定通知フレームは、発見通知フレームと呼ぶことができる。例えば、パラメータは、そのような発見通知フレームを提供するため、所定のシステムフレーム（または一連のシステムフレーム）で基地局５によって特定のフレームパターンが使用されることを示すことができる。
【００７７】
発見構成（例えば、特定のセルで使用されている発見フレームパターン）は、同じ公衆陸上移動通信ネットワーク（ＰＬＭＮ）に属する基地局間（および、「Ｘ２」インターフェースを介した発見関連データ交換をサポートする／可能にする場合は、異なるＰＬＭＮに属する基地局間）で移動させることができる。これは、有益には、ネットワークオペレータが必要に応じて近隣のセル内で異なる（または同じ）発見フレームパターンを構成することを可能にする。所定のセルまたは基地局に対する発見構成は、運用および保守（ＯＡＭ）手段または同様のものを使用して、静的または動的に構成することができる。
【００７８】
Ｄ２Ｄ通信が可能な携帯電話（この例では、第１の携帯電話３−１）は、その携帯電話３−１に発見リソースを割り当てるようにネットワークに要求することによって、別の携帯電話（例えば、第２の携帯電話３−２）とのＤ２Ｄ通信を開始する／試みることができる。例えば、携帯電話３−１は、例えば、物理アップリンク共有チャネル（ＰＵＳＣＨ）を使用して、適切な信号メッセージを基地局５に送信することができる。この例では、携帯電話３−１は、ネットワークが十分なリソースを携帯電話に相応に割り当てることができるように、必要なリソースの量（例えば、「発見バッファサイズ」）に関する表示をこの要求に含める。
【００７９】
第１の携帯電話３−１からの発見リソース要求（および場合により他の携帯電話からの同様の要求）の受信と同時に、ネットワーク（基地局５）は、発見関連信号に必要なリソースの量（例えば、１つのＵＥ／フレーム／セル／基地局当たりの発見リソースの総量または平均量）を決定するため、発見リソーススケジューリング演算を実行する。
【００８０】
次に、サービング基地局５は、第１の携帯電話３−１（および場合により基地局５に割り当てを要求した任意のさらなる携帯電話）に、発見通知の伝送用に指定されたフレームのうちの１つのフレーム（および必要な場合は後続のフレーム）内で、無線リソース（例えば、割り当てられたリソースブロックおよび指定されたサブフレーム）を割り当て、要求側の携帯電話３−１に通知する。基地局５は、実際には（好ましくは、発見通知フレームの開始近くに（例えば、フレームの第１のサブフレームで）、しかし、いかなる場合でも、リソースがスケジュールされる前に）、対応する発見通知フレームで提供される発見通知において、リソース割り当てが行われたことをそのセル６内の他の携帯電話３に知らせる。また、特に有益な実施形態では、この知らせは、割り当てられたリソース（例えば、割り当てられたリソースブロックおよび指定されたサブフレーム）を識別する情報、ならびに／あるいは、連続サブフレーム／無線フレームで送信された「発見」情報の監視を必要とするそれらのサブフレームおよび／または無線フレームの数を識別する情報も含む。
【００８１】
このシステムでは、基地局５は、有益には、発見通知フレームまたはこれらの直後に続くフレームのうちの１つで発見情報伝送用のリソースを割り当て、それにより、傾聴側のＵＥにおけるＤＲＸ管理および電力消費量に対する影響を最小限に抑える上で役立てる。この例では、発見情報信号のためのリソースは、有益には、（例えば、同じ無線フレームまたは後続のフレーム内の）現在の発見通知フレームおよびアップリンク（ＵＥからネットワークに向かうもの）伝送のために使用される同じ物理チャネルに対して割り当てられる。好ましくは、発見情報伝送には、ＬＴＥの周波数分割複信（ＦＤＤ）が使用されるが、ＬＴＥの時分割複信（ＴＤＤ）の変形も使用することができる。
【００８２】
ネットワークによって提供される上記の発見構成パラメータ（ＳＦＮ／スクランブルパラメータなど）および割り当てられた無線リソースを使用することで、第１の携帯電話３−１は、その発見情報をその付近の他のユーザ機器（近隣のＵＥ）に伝送する。発見情報は、例えば、近接度に基づく発見のための送信側のＵＥを識別する情報（一意の発見シグネチャなど）、要求／提供されたサービスを示す情報、要求アプリケーションを示す情報、サービス／アプリケーションデータおよび／または同様のものを含み得る。
【００８３】
有益には、任意に発見情報を伝送することよりむしろ、基地局によって割り当てられた特定の無線リソースを使用することで、ネットワークは、異なる携帯電話によって使用されるリソース間の時間／周波数の直交性を制御することができ、したがって、システムにおける干渉を最小限に抑えることができる。
【００８４】
近隣のＵＥ（第２の携帯電話３−２など）もまたネットワークによる発見通知伝送用に指定されたフレームに関する通知を受けているため、そのようなフレーム内で（存在する場合は）ネットワークの発見通知を傾聴することで、近隣のＵＥは、比較的細かな粒度レベルで（例えば、リソースブロック、サブフレームまたは無線フレームレベルで）、第１の携帯電話の１つの発見情報がいつ伝送され始めるかを判断することができる。さらに、傾聴側のＵＥは、適切な発見スクランブル（解読）パラメータを使用して、受信データのスクランブル解読を行うこともでき、発見スクランブル（解読）パラメータは、ＳＩＢ／ＲＲＣ信号および／または発見通知から入手される。
【００８５】
したがって、（地理的な位置が第１の携帯電話３−１の伝送範囲内にある）第２の携帯電話３−２は、比較的に低い干渉リスクで、電力およびリソース的に特に効率よく、第１の携帯電話３−１による（ネットワークの発見通知によって示されるリソースブロックを使用して送信された）いかなる発見情報も受信し、それに従って行動することができる。そのＲＲＣ動作モード（アイドルまたは接続状態）に関わらず、基地局５からのＳＩＢ信号に基づいて、第２の携帯電話３−２は、少なくともこのセル６内で使用中であることを示す発見通知フレームの間、その受信機を起動することができる。言い換えれば、第２の携帯電話３−２は、第１の携帯電話３−１の発見情報も運ぶ発見通知フレームが（少なくとも）持続している間はウェイクアップするように（ＳＩＢ／ＲＲＣを介して入手された発見構成パラメータによって）構成される。
【００８６】
それに従って、第１の携帯電話３−１と第２の携帯電話３−２との間でＤ２Ｄ無線ベアラのセットアップを試みるため（または第１の携帯電話３−１と第２の携帯電話３−２との間で他の近接度に基づくサービスを提供するため）に第１の携帯電話３−１の発見情報が送信される場合、第２の携帯電話３−２は、その動作を相応に変更することができる。例えば、第２の携帯電話３−２は、（必要な場合は）適切な確認を送信することによって発見情報に応答したり、そのアプリケーションを制御したり（例えば、そのユーザに通知する）、第２の携帯電話３−２によって保持されるデータを更新したりする（例えば、後に使用するために受信データをすべて保存する）ことができる。発見手順に続いて、第１の携帯電話３−１と第２の携帯電話３−２との間でＤ２Ｄ無線ベアラがセットアップされている場合、携帯電話３−１および３−２は、基地局５を介してそのユーザデータをルーティングする必要もなく、互いとの通信を開始することができる。
【００８７】
携帯電話
図２は、図１に示される携帯電話３のうちの１つの主なコンポーネントを示すブロック図である。図示されるように、携帯電話３は、少なくとも１つのアンテナ３３を介して、基地局５および／または他の携帯電話に信号を伝送するように、ならびに、基地局５および／または他の携帯電話から信号を受信するように動作可能なトランシーバ回路３１を含む。当然ながら、携帯電話３は、従来の携帯電話３の通常の機能性（ユーザインターフェース３５など）のすべてを有し得、これは、必要に応じて、ハードウェア、ソフトウェアおよびファームウェアの任意の組合せによって提供することができる。トランシーバ回路３１の動作は、メモリ３９に格納されたソフトウェアに従ってコントローラ３７によって制御される。ソフトウェアは、中でも特に、オペレーティングシステム４１、通信制御モジュール４３、Ｄ２Ｄモジュール４５および発見モジュール４７を含む。
【００８８】
通信制御モジュール４３は、制御携帯電話３と他のユーザ機器または様々なネットワークノード（基地局５など）との間の接続を制御するための制御信号を取り扱う（例えば、生成する、送信するおよび受信する）。通信制御モジュール４３は、サービング基地局５に／サービング基地局５から伝送される予定のアップリンク／ダウンリンクデータおよび制御データの別々のフローを制御する。また、通信制御モジュール４３は、携帯電話３がＤ２Ｄベアラを使用して通信している場合に、他の携帯電話に／他の携帯電話から伝送される予定のＤ２Ｄアップリンク／ダウンリンクデータの別々のフローも制御する。
【００８９】
Ｄ２Ｄモジュール４５は、他の携帯電話の対応するＤ２Ｄモジュールとのデバイス間直接通信を制御する。また、Ｄ２Ｄモジュール４５は、基地局５を介したユーザデータのルーティングを伴わない近接サービスに関連する通信（発見情報の送信／受信および対応する発見応答など）も制御する。Ｄ２Ｄモジュール４５は、ネットワークからパラメータを入手し、（例えば、ネットワークからのＳＩＢ／ＲＲＣ信号に含まれる適切な構成パラメータを使用して）Ｄ２Ｄ通信のスクランブル／スクランブル解読のためにパラメータを適用するように動作可能である。
【００９０】
発見モジュール４７は、発見手順を制御するための制御信号を取り扱う（例えば、生成する、送信するおよび受信する）。例えば、発見モジュール４７は、発見リソース要求メッセージを生成し、基地局５に送信する。また、発見モジュール４７は、（Ｄ２Ｄモジュール４５を使用して）発見情報メッセージも生成し、ネットワークによって割り当てられた無線リソースを使用して、近隣のユーザ機器にブロードキャストする。
【００９１】
基地局
図３は、図１に示される基地局５の主なコンポーネントを示すブロック図である。図示されるように、基地局５は、少なくとも１つのアンテナ５３を介して、携帯電話３に信号を伝送するように、ならびに、携帯電話３から信号を受信するように動作可能なトランシーバ回路５１を含む。また、基地局５は、ネットワークインターフェース５５を介して、コアネットワーク７のノード（ＰｒｏＳｅサーバ９など）および他の基地局に信号を伝送するように、ならびに、コアネットワーク７のノードおよび他の基地局から信号を受信するようにも動作可能である。トランシーバ回路５１の動作は、メモリ５９に格納されたソフトウェアに従ってコントローラ５７によって制御される。ソフトウェアは、中でも特に、オペレーティングシステム６１、通信制御モジュール６３、発見制御モジュール６５および発見構成モジュール６７を含む。
通信制御モジュール６３は、基地局５と携帯電話３およびネットワークデバイス（ＭＭＥ、ゲートウェイ、ＰｒｏＳｅサーバ９、近隣の基地局など）との間の通信を制御する。
【００９２】
発見制御モジュール６５は、基地局５のセル６内で伝送されるシステムフレーム内での発見通知フレーム（例えば、フレームパターン）の提供を制御する。適切な発見通知を送信することで、発見制御モジュール６５は、要求側の携帯電話３への発見通知フレーム内でのリソースの割り当ても制御し、携帯電話３に割り当てられたリソースを使用して、携帯電話３にその発見情報をブロードキャストさせる。（送信された場合の）発見通知は、現在のスケジューリング段階で発見情報伝送がスケジュールされたことを他の（非要求側の）携帯電話に通知する役割も果たす。
【００９３】
発見構成モジュール６７は、基地局５によるサービス提供を受ける携帯電話３（例えば、セル６内のＲＲＣ接続状態のおよびＲＲＣアイドル状態の携帯電話）に適用可能な発見構成パラメータを（トランシーバ回路５１を介して）伝送する。セル６内で互換性のある各携帯電話によって発見構成パラメータの共通セットが使用される場合、発見構成モジュール６７は、システムブロードキャスト情報メッセージを使用して（ただし、ＲＲＣメッセージなどの専用メッセージを使用することもできる）、発見構成パラメータを提供する。発見構成パラメータのセットがセル６内のすべての携帯電話のサブセットに適用可能である場合、発見構成モジュール６７は、無線リソース制御信号を使用して、発見構成パラメータを携帯電話に提供する（しかし、発見構成モジュール６７は、適用されるグループの識別と共にＳＩＢメッセージを使用して、発見構成パラメータを提供することもできる）。また、発見構成モジュール６７は、「Ｘ２」インターフェースを使用して、他の基地局から発見構成を入手するように（および他の基地局にそのような情報を提供するように）も動作可能である。発見構成モジュール６７によって保持される発見構成は、例えば、運用および保守（ＯＡＭ）手段を使用して、ネットワークオペレータが提供／更新することができる。
【００９４】
上記の記述では、携帯電話３および基地局５は、多くの離散モジュール（通信制御モジュール、Ｄ２Ｄモジュール、発見モジュールおよび発見制御モジュールなど）を有するため、理解し易いように説明されている。あるアプリケーションに対しては（例えば、既存のシステムが本発明を実装するように変更されている場合は）、このようにこれらのモジュールを提供することができるが、他のアプリケーションでは（例えば、初めから発明特徴を念頭に置いて設計されたシステムでは）、これらのモジュールを離散エンティティとして認識できないように、これらのモジュールをオペレーティングシステムまたはコード全体に組み込むことができる。また、これらのモジュールは、ソフトウェア、ハードウェア、ファームウェアまたはこれらの混合体に実装することもできる。
【００９５】
動作
図４は、本発明の実施形態による、発見手順を実行する際にモバイルテレコミュニケーションシステム１のコンポーネントによって実行される方法を示すタイミング図である。
【００９６】
この例では、第１の携帯電話３−１（ＵＥ−１と示される）は、発見手順を使用して、第２の携帯電話３−２（ＵＥ−２と示される）とのＤ２Ｄ通信を開始するが、同じ手順を他の近接サービスの開始に適用することもできる。
【００９７】
図４では、第２の携帯電話３−２の横の矢印は、発見手順に関する第２の携帯電話３−２の現在の動作モードを示す。「発見−アイドル」モードは、特定の動作が行われていないことを示し、「発見−検索」モードでは、携帯電話３−２は、発見（この例では）目的のためにあるチャネルを積極的に傾聴している。発見モードは、携帯電話の他のモード／状態（いわゆるＲＲＣ状態を含む）とは無関係であることに留意しなければならない。言い換えれば、提案される解決策は、「ＲＲＣアイドル」または「ＲＲＣ接続」モードの携帯電話に適用可能である。
【００９８】
この実施形態では、ネットワーク（基地局５）は、そのセル６内のユーザ機器に伝送されるＳＩＢブロードキャストメッセージを介して、適用可能な発見構成パラメータを提供する。したがって、ステップＳ４００−１およびＳ４００−２で一般的に示されるように、それぞれの携帯電話３−１および３−２は、（そのそれぞれのトランシーバ回路３１を使用して）システムブロードキャストメッセージを傾聴することによって発見構成パラメータを受信する。図示されるように、受信される発見構成パラメータは、ｉ）発見手順の間のメッセージのスクランブル／スクランブル解読のために使用される無線ネットワークの識別子（発見無線ネットワーク識別子（ＤＲＮＩ）など）、および、ｉｉ）そのＳＦＮによって（所定のシステムフレームまたは一連のシステムフレームの）指定されたセルの発見通知フレームを識別する、セル６内で提供される発見通知フレームを識別する情報（例えば、発見通知フレームパターン（の識別子））を含む。
【００９９】
ステップＳ４０１では、第１の携帯電話３−１は、（その発見モジュール４７を使用して）近隣のユーザ機器にブロードキャストされる予定の発見情報を生成する。発見情報は、通知側の携帯電話、宣伝されるサービスまたはアプリケーションのタイプ、および、送信者によって使用されるアドレス（例えば、ＩＰアドレス）のうちの１つまたは複数を識別する情報を含み得る。
【０１００】
この情報をブロードキャストできるようになる前に、第１の携帯電話３−１は、基地局５から無線リソースを要求する必要がある。そのような発見リソース要求（発見情報伝送に対する要求）は、送信すべき発見情報がある時は常に（使用中の発見通知フレームパターンに関係なく）ＵＥが発行することができる。したがって、ステップＳ４０３では、第１の携帯電話３−１は、発見情報の送信に対して、ネットワークから発見リソースを要求するため、適切にフォーマットされた信号メッセージを生成し、アップリンクチャネル上で送信する。また、第１の携帯電話３−１は、ネットワークが無線リソースの必要な量を評価し、相応に割り当てることができるように、ブロードキャストすることを意図するデータの量に関する表示（例えば、発見バッファサイズパラメータ（または同様のもの））もこのメッセージに含める。
【０１０１】
例えば、アップリンク信号メッセージは、適切なメディアアクセス制御（ＭＡＣ）制御要素（ＣＥ）（「発見リソース要求」ＭＡＣ  ＣＥなど）を含み得る。この例では、アップリンクチャネルは、携帯電話と基地局５との間で提供されるいわゆる物理アップリンク共有チャネル（ＰＵＳＣＨ）である。
【０１０２】
第１の携帯電話３−１は、ネットワークに知られているその識別子（例えば、ＵＥ−１に対する（一時）セル−無線ネットワーク一時識別子（Ｔ−ＣＲＮＴＩ／ＣＲＮＴＩ））を使用して、発見リソース要求メッセージにスクランブルをかける。これにより、受信側の基地局５が、メッセージの送信者を確認し、その携帯電話に対する適切なキーを使用してメッセージコンテンツを暗号解読できることが保証される。
【０１０３】
第１の携帯電話３−１からの発見リソース要求（および場合により他の携帯電話からの同様の要求）の受信と同時に、基地局５は、ステップＳ４０５において、（その発見制御モジュール６５を使用して）発見リソーススケジューリング演算を実行し、Ｓ４０１で生成された発見通知の伝送のため、要求側のＵＥに無線リソースを割り当てる（スケジュールする）。
【０１０４】
具体的には、ステップＳ４０５では、発見制御モジュール６５は、発見情報の伝送のため、以下の通り、無線リソースを割り当てる。
−時間領域では、現在のシステムフレームを時間基準として使用することによって、例えば、現在のシステムフレーム内でそのＳＦＮによって特定の無線フレームを識別することによって、および、無線フレームにローカルなインデックスによって選ばれた無線フレーム内でサブフレームを識別することによって。不連続受信の管理（ＤＲＸ）に対する影響を最小限に抑え、指定された発見通知フレームで発見通知および発見情報伝送を傾聴するＵＥに対する電力消費量を最適化するため、発見情報伝送用に割り当てられる無線フレームは、指定された発見通知フレームまたはこれらの直後に続くものの中から選ばれる。
−周波数領域では、任意の適切な（例えば、レガシー）リソースブロック割り当て方法を使用することによって。
−電力領域では、発見伝送に適用可能な適切な伝送電力制御コマンドを提供することによって。
−符号／アイデンティティ領域では、任意選択により、ネットワークは、いわゆる「ブラインドサーチ」発見通知モード（図６を参照して詳細に論じられる）で異なるＵＥによる発見伝送を区別するために使用することができるＤＲＮＩ−オフセットを要求側のＵＥに割り当てる。
【０１０５】
（基地局５の）発見制御モジュール６５によって適切な無線リソースがスケジュールされた後、発見制御モジュール６５は、ステップＳ４０７において、適切にフォーマットされたダウンリンク制御メッセージ（例えば、物理ダウンリンク制御チャネル（ＰＤＣＣＨ）上のメッセージ）を生成して送信し、要求側（第１）の携帯電話３−１に割り当てられた無線リソースを識別する適切なダウンリンク制御情報（ＤＣＩ）フォーマットをこのメッセージに含める。ＤＣＩフォーマットの代わりに、（例えば、物理ダウンリンク共有チャネル（ＰＤＳＣＨ）信号に含まれる）適切なＭＡＣ制御要素を使用し、要求側の携帯電話３−１に送信することもできる。
【０１０６】
具体的には、発見制御モジュール６５は、リソース割り当て情報（本明細書では、発見リソース割り当て情報（ＤＲＡＩ）と呼ばれる）の１つまたは複数のセットを提供することによって、要求側の携帯電話３−１に（発見通知のブロードキャスト用にその携帯電話に割り当てられたリソースを）通知する。ＤＣＩフォーマットが使用される場合、各ＤＲＡＩは、使用される予定のリソースを識別する｛ＳＦＮ｝情報を含み得る（しかし、任意選択により、他の情報も含み得る）。しかし、ＭＡＣ制御要素が使用される場合、各ＤＲＡＩは、ＤＲＡＩが関連する携帯電話によって使用される予定のリソースおよびその携帯電話によって適用される予定の必要な伝送特性を一意的に識別する｛ＳＦＮ、サブフレームインデックス、リソースブロック割り当て、伝送電力制御コマンド｝の４つ組を含み得る。発見制御モジュール６５は、各携帯電話が同じアイデンティティを使用して受信したメッセージをスクランブル解読することによってその割り当てられたＤＲＡＩを入手できるように、その携帯電話に対するレガシー（ＬＴＥ）アイデンティティ（そのＣＲＮＴＩまたはＴ−ＣＲＮＴＩなど）を使用して、各携帯電話に対するデータにスクランブルをかける。
【０１０７】
発見情報をブロードキャストするためのリソースが（例えば、現在のスケジューリング段階に対し）割り当てられた後、ネットワークは、次の利用可能な発見通知フレームで１つまたは複数の適切な発見通知を送信する（Ｓ４０９および／またはＳ４１１において）。
【０１０８】
ここでは、各ＵＥ（Ｓ４００で既に発見構成パラメータを受信したＵＥ）は、現在のスケジューリング段階に対してスケジュールされた発見通知割り当てを運ぶ発見通知フレームを監視するように構成される。このこともまた図４に示されており、その際、第２の携帯電話３−２は、その発見動作モードを「検索」モードに変更し、検索モードでは、第２の携帯電話３−２は、発見通知フレームの開始時に発見通知を傾聴する。
それに従って、各発見通知フレームでは、（第１の携帯電話３−１に対する）スケジュールされた発見情報伝送があれば、ネットワーク（基地局５）は、以前に（Ｓ４００において）提供された発見無線ネットワーク識別子を使用してスクランブルをかけた、（Ｓ４１１の）発見通知メッセージをブロードキャストする。発見通知メッセージは、物理ダウンリンク共有チャネル（ＰＤＳＣＨ）を介してブロードキャストすることができる。ブロードキャストで（共有チャネルを使用して）発見通知メッセージを送信し、すべてのＵＥ間で共有される識別子を使用して発見通知メッセージにスクランブルをかけることで、セル６内のすべてのＵＥが発見通知メッセージを受信できることが保証される。
【０１０９】
ステップＳ４０９に一般的に示されているように、発見通知の前に（またはその代わりに）、（例えば、後方互換性のために）他の表示メッセージを送信することができる。この場合、発見通知は、表示メッセージのうちの１つまたは複数内の任意の適切な情報要素（ＩＥ）（例えば、「発見通知」ＩＥ）に含めることができる。そのようなメッセージは、物理ダウンリンク制御チャネル（ＰＤＣＣＨ）を介して送信することができる。
【０１１０】
次に、ステップＳ４１３〜Ｓ４１７に一般的に示されているように、第１の携帯電話３−１は、ステップＳ４０７で受信したリソース割り当て（ＤＲＡＩ）を使用して、第２の携帯電話３−２にその発見情報を送信（ブロードキャスト）することができる。具体的には、第１の携帯電話３−１は、受信したＤＲＡＩに従って、データにスクランブルをかけるためのＤＲＮＩを使用して（または、ＤＲＮＩ−オフセットも提供されている場合は、“ＤＲＮＩ＋ＤＲＮＩ−オフセット”を使用して）、その発見情報伝送を実行する。発見情報の伝送に対する様々な可能性のさらなる詳細については、以下で図６および図７を参照して提供される。
【０１１１】
図５は、本発明の実施形態による、例示的な無線フレーム構造を概略的に示す。この特定の無線フレーム構造は、発見情報伝送の無線フレームレベルスケジューリングに対して、（図６および７で示されるような）様々なシナリオで使用することができる。
【０１１２】
図５は、１つのダウンリンク無線フレームおよび１つのアップリンク無線フレームを示し、その各々は、１０のサブフレーム（インデックス＃０〜＃９のサブフレーム）を含む。図から分かるように、縦軸は、周波数領域を示し、横軸は、このシステムで使用されるリソースの時間領域を示す。それに従って、ダウンリンクおよびアップリンク無線フレームは、実質的に同時に（しかし、異なる方向に）伝送されるが、異なる周波数を占有する。
【０１１３】
ダウンリンク無線チャネルは、基地局５から携帯電話３まで制御情報を運ぶ。制御情報（発見通知）は、発見通知フレームのいかなるサブフレームでも運ぶことができる。各発見通知は、異なるＵＥに対する１つまたは複数の発見伝送割り当て（例えば、ＤＲＡＩ）を含み得る。
【０１１４】
この例では、ダウンリンクサブフレーム＃１は、ＰＤＳＣＨ上で発見通知を運ぶ。発見通知は、未だ完全には実施されていない発見リソース要求を送信した各携帯電話に対して様々なアップリンク（時間／周波数）リソースを割り当てるために送信される。一意のパターンを有するアップリンクサブフレームの様々な領域は、複数の携帯電話による発見情報の伝送用に割り当てられたそれぞれのリソースブロックを示す。この例では、発見リソースブロックは例示を目的として複数のサブフレームに散在しているが、他の例では、リソースブロックは、より少ないサブフレーム（単一のサブフレームでさえも）またはより多くのサブフレーム（例えば、現在の無線フレームのすべてのサブフレーム、または、適切な場合は、別の無線フレームからのサブフレーム）を使用して割り当てることができる。
【０１１５】
リソース割り当てを運ぶダウンリンクサブフレームと発見情報を（携帯電話によって）伝送するための対応するアップリンクリソースとの間の矢印は、発見通知を運ぶＰＤＳＣＨサブフレームが伝送された後、所定の数のサブフレーム（この例では、１つのサブフレーム）より先に発見情報伝送をスケジュールできないことを示す。これは、スケジュールされた携帯電話３のそれぞれのトランシーバ回路３１が（ダウンリンクサブフレーム＃１の）ダウンリンク無線チャネルから（アップリンクサブフレーム＃２の）アップリンク無線チャネルに切り替えられるようにするためである。
【０１１６】
以下の３つの一般的なシナリオを区別することができる。
ｉ）（スケジュールされている発見通知フレーム内の）所定の発見通知場面には、（残っている）発見リソース要求がない（したがって、発見通知メッセージを送信する必要も、発見情報伝送をスケジュールする必要もない）。
ｉｉ）スケジュールされたすべての発見情報伝送を単一の無線フレームに収めることができる（例えば、その無線フレームの利用可能なすべてのサブフレームのサブセットを使用して送信することができる）。
ｉｉｉ）スケジュールされた発見情報伝送が複数の無線フレーム（例えば、現在の無線フレームおよび現在の無線フレームの直後の多くの無線フレーム／現在の無線フレームの利用可能なすべてのサブフレームおよび直後の無線フレームからの少なくとも１つの追加のサブフレーム）を必要とする。
【０１１７】
図６および図７は、図５の無線フレーム構造を使用することができる、上記の一般的なシナリオに基づく、様々な例示的なシナリオを概略的に示す。
【０１１８】
ブラインドサーチ
図６に示されるシナリオグループは、一般的に「ブラインドサーチ」シナリオと呼ぶことができる。これは、現在の発見通知フレームで送信された発見通知メッセージがある場合、その発見通知メッセージを受信した携帯電話が、その発見通知メッセージに含まれる情報によって識別されたサブフレームの各々において、発見情報伝送をやみくもに検索することを意味する。
【０１１９】
第１の「ブラインドサーチ」シナリオでは、発見検索スペースは、現在の発見通知フレームのすべての残っているサブフレーム（すなわち、ダウンリンクからアップリンクへの切り替えが実行された後に残された任意のサブフレーム）を含む。この場合、発見通知メッセージは、いかなるスケジューリング情報も含まない可能性がある。それに従って、携帯電話は、発見情報伝送用の発見通知フレーム全体を監視することが予想される。
【０１２０】
第２の「ブラインドサーチ」シナリオでは、発見検索スペースは、連続サブフレーム（現在の発見通知フレーム内の）の数の観点から説明することができる。これらの連続サブフレームは、図６では「ＮＲＳ」と示され、現在の発見通知フレームの指定された数のサブフレーム（ＮＲＳ）（すなわち、ダウンリンクからアップリンクへの切り替えが実行された後のもの）を含む。それに従って、携帯電話は、発見情報伝送用の多くの連続サブフレームを監視することが予想される。連続サブフレーム（例えば、ＮＲＳ）の適用可能な数は、発見通知メッセージで（または他の手段によって）示すことができる。
【０１２１】
第３の「ブラインドサーチ」シナリオでは、発見検索スペースは、連続無線フレーム（現在の発見通知フレームから始まり、現在の発見通知フレームを含む）の数の観点から説明することができる。これらの連続無線フレームは、図６では「ＮＲＦ」と示される。それに従って、携帯電話は、発見情報伝送用の多くの連続無線フレームを監視することが予想される。連続無線フレーム（例えば、ＮＲＦ）の適用可能な数は、発見通知メッセージで（または他の手段によって）示すことができる。
【０１２２】
（図４の）ステップＳ４１３は、使用されるスケジューリングのタイプに応じて、発見通知フレームのうちの１つ（すなわち、図６または７のＳＦＮｉと示されるフレームのサブフレームのうちの１つ）でのみ実行することができる。他方では、ステップＳ４１５およびＳ４１７は、発見通知フレームに続く無線フレーム（例えば、図６または図７の無線フレームＳＦＮｉ＋１〜ＳＦＮｉ＋ｎのうちの１つ）でのみ実行することができる。
【０１２３】
「ブラインドサーチ」シナリオの各々では、伝送には異なるＤＲＮＩ−オフセットを使用してスクランブルをかけるということで、検索側のＵＥ（例えば、第２の携帯電話３−２）は、（ステップＳ４０５を参照して上記で言及されたように）異なるＵＥによる伝送を区別することができる。
【０１２４】
ターゲットサーチ
図７に示されるシナリオグループは、一般的に「ターゲットサーチ」シナリオと呼ぶことができる。これは、現在の発見通知フレームで送信された発見通知メッセージがある場合、その発見通知メッセージを受信した携帯電話が、その発見通知メッセージに含まれる情報によって識別された１つまたは複数のサブフレームでのみ、発見情報伝送を検索することを意味する。具体的には、発見検索スペースは、ＤＲＡＩのリストによって定義することができ、その各々は、所定の伝送側のＵＥに対して一意的に割り当てられる。
【０１２５】
したがって、「ターゲットサーチ」シナリオでは、伝送は異なるＤＲＡＩに属することから、検索側のＵＥは、異なるＵＥによる伝送を区別することができる。
【０１２６】
３つの「ターゲットサーチ」シナリオは、一般に、無線フレーム全体（または１つのＮＲＳ当たりの現在の無線フレームの残っているサブフレーム全体）の監視が不要であることを除いて、上記で説明される「ブラインドサーチ」シナリオに対応する。「ターゲットサーチ」シナリオでは、受信側の携帯電話は、特定の個々のＤＲＡＩのみを監視する必要がある。
【０１２７】
「ターゲットサーチ」の重要な利益（電力消費量の潜在的な節約以外の利益）は、例えば、ＤＲＡＩが現在の無線フレームでスケジュールされたと判断された際、監視側のＵＥはより早くダウンリンク無線チャネルに戻すことができることである。これにより、ネットワークは、発見情報伝送に使用された既に同じ無線フレーム内のこれらの携帯電話に対する通常の（すなわち、非発見関連の）ダウンリンク伝送をスケジュールして伝送することができる。これは、図７に示される第３の例で（無線フレームＳＦＮｉ＋１およびＳＦＮｉ＋ｎで）示されている。
【０１２８】
そのような（インターリーブダウンリンク受信を可能にする）不連続発見情報伝送は、ダウンリンク伝送のレイテンシの改良（すなわち、低減）に特に有利であり得る。
【０１２９】
変更および代替
上記では詳細な実施形態について説明してきた。当業者であれば、依然としてそこで具体化される発明品から利益を得たままの状態で、上記の実施形態に対する多くの変更および代替が可能であることが理解されよう。
【０１３０】
上記の実施形態では、ネットワークは、ブロードキャストメッセージを送信することによって、すべての発見可能なＵＥに発見構成パラメータを提供するように説明される。しかし、発見構成パラメータは、専用信号（例えば、無線リソース制御信号）を使用して提供することもできることが理解されよう。この場合、適用可能な発見構成パラメータは、個々の（または１つもしくは複数のグループの）携帯電話（例えば、近接度に基づくサービスとの互換性を示す携帯電話）に送信することができる。
【０１３１】
（Ｄ２Ｄ可能な）携帯電話が、（発見関連伝送を目的として）１つまたは複数のグループに割り当てられる場合、構成パラメータは、以下も含む。
−ネットワークによって送信される発見関連通知もしくは携帯電話によって送信される発見情報のスクランブル／スクランブル解読のためのグループ発見無線ネットワーク識別子、および／または、
−発見通知に使用されたＳＦＮを識別するグループ発見通知フレームパターン。
【０１３２】
グループベースの発見管理は、ＵＥグループ内での発見伝送の最適化に有益であり得る。常に複数のグループ構成が存在し得、各ＵＥは１つまたは複数のグループに属し得ることが理解されよう。
【０１３３】
上記の記述では、ネットワーク（基地局）は、最初に、ＳＩＢブロードキャストメッセージを使用して、適用可能な発見構成パラメータを提供する。しかし、これらのパラメータは、いかなる時も（例えば、携帯電話がネットワークに登録された際、基地局のセルの地理的な領域に入った際、要求と同時に、定期的に、および／または、パラメータが変更される時は常に）、（必要に応じてＳＩＢ／ＲＲＣを使用して）各携帯電話に提供できることが理解されよう。
【０１３４】
ステップＳ４０７（発見リソース割り当てステップ）の上記の記述では、ネットワークは、ＰＤＣＣＨを介して要求側のＵＥに（発見通知のブロードキャスト用にそのＵＥに割り当てられたリソースを）通知する（例えば、適切なダウンリンク制御表示を使用してそのＵＥに対するＤＲＡＩを通知する）。しかし、ネットワークは、ＰＤＳＣＨを介して要求側のＵＥに通知することもできることも理解されよう。この場合、要求側のＵＥに対するＤＲＡＩ（またはＤＲＡＩのリスト）は、適切なＭＡＣ  ＣＥを使用して示すことができる。
ステップＳ４１１の上記の記述では、基地局のセル内のすべてのＵＥが受信できるように、発見通知メッセージには、発見無線ネットワーク識別子を使用してスクランブルをかける。しかし、発見通知フレームが携帯電話のグループ用に確保されている（すなわち、グループ発見通知フレームである）場合、発見通知メッセージには、そのグループに特有の発見無線ネットワーク識別子（例えば、グループ発見無線ネットワーク識別子）を使用してスクランブルをかけることができることが理解されよう。この場合、発見通知メッセージは、そのグループのメンバーのみが受信することができる。
【０１３５】
上記の実施形態では、３ＧＰＰ  ＬＴＥ規格に準拠する通信プロトコルおよびインターフェースについて説明しており、したがって、「Ｕｕ」インターフェースは、基地局と携帯電話との間で提供される。しかし、他の通信規格の使用も可能であることが理解されよう。
【０１３６】
上記の実施形態では、携帯電話ベースのテレコミュニケーションシステムについて説明した。当業者であれば、本出願で説明される信号伝達技法は、他の通信システムで採用できることが理解されよう。上記の実施形態は、ユーザ機器の例として携帯電話のことを説明しているが、他の通信ノードまたは移動通信デバイスも使用することができ、本発明の範囲から逸脱することなく、例えば、携帯情報端末、ラップトップコンピュータ、ウェブブラウザ、電子書籍リーダ、３ＧＰＰ技術を実装するパーソナルコンピュータ、マシンタイプ通信（ＭＴＣ）デバイス、ルータ（例えば、ＭＩＦＩ−ＬＴＥ  ＷＩＦＩルータ）に含まれるモデムデバイスなどを使用することができる。
【０１３７】
携帯電話は、上記で説明される機能性のサブセットのみを実行するように構成できることが理解されよう。例えば、いくつかの携帯電話は、（例えば、上記で説明される第２の携帯電話３−２のように）傾聴機能性のみを実行することができ、発見リソースを要求したり、割り当てられたリソースを使用して発見情報を伝送したりすることができるか否かは関係ない。同様に、いくつかの携帯電話は、（例えば、上記で説明される第１の携帯電話３−１のように）ブロードキャスト機能性のみを実行し、その付近の他のユーザ機器に発見情報を伝送することができ、そのような他のユーザ機器によって伝送された発見情報を傾聴することができるか否かは関係ない。
【０１３８】
上記で説明される実施形態では、携帯電話および基地局は各々、トランシーバ回路を含む。通常、この回路は、専用ハードウェア回路によって形成される。しかし、いくつかの実施形態では、トランシーバ回路の一部は、対応するコントローラによって実行されるソフトウェアとして実装することができる。
【０１３９】
上記の実施形態では、多くのソフトウェアモジュールについて説明した。当業者であれば、コンパイルまたは非コンパイル形式でソフトウェアモジュールを提供でき、コンピュータネットワーク上または記録媒体上で信号として基地局または中継局に供給できることが理解されよう。さらに、このソフトウェアの一部またはすべてによって実行される機能性は、１つまたは複数の専用ハードウェア回路を使用して実行することができる。
【０１４０】
上記の実施形態は、２つの携帯電話間の発見関連データの直接交換について説明する。上記の手順は、発見以外の他の目的、例えば、２つ以上の携帯電話間の直接通信（一方向または双方向）が必要とされるいかなる目的のために、使用できることが理解されよう。例えば、上記の実施形態は、携帯電話間の直接の任意のデータの通信、例えば、任意の発見情報の伝送後に送信されたデータ（例えば、さらなるデータの送信および／または応答の受信）の通信、ならびに／あるいは、いかなる発見もなく（または発見前に）送信されたデータの通信に適用することができる。
【０１４１】
上記の手順は、（例えば、基地局／ＲＡＮのセルの外側の）無線ネットワーク適用範囲のプレゼンス／タイプに関わらず、携帯電話間のいかなる直接通信（例えば、グループ通信）のためにも使用できることも理解されよう。例えば、上記の手順は、他のユーザ機器と通信するクラスタヘッドＵＥ（ある基地局／ＲＡＮ機能を実装するように構成されたユーザ機器）も実装することができる。また、基地局の機能性は、中継ノードまたは中継携帯電話が実装することもできる。
【０１４２】
他の様々な変更は、当業者にとって明らかであり、ここではさらに詳細には説明しない。
【０１４３】
例示的な利益
システムは、特に効率的かつ効果的な方式で、例えば以下を含む、多くの関連利益を提供できる可能性を伴って、無線ネットワークの制御の下、アップリンク無線リソースを使用して実行されるＵＥ間の直接発見を可能にすることが分かる。
−発見通知フレームのパターン（例えば、「発見ＤＲＸ」または発見通知フレームパターンと呼ばれる）の柔軟なスケジューリングを通じた、ＵＥ電力消費量の最小化と発見レイテンシとの間の最適なトレードオフ、
−発見伝送とセルラ伝送との混合をサブフレームレベルまで可能にする柔軟なリソース割り当てスキームの使用を通じてセル負荷に適応させるための、セルラの（従来の）伝送と発見関連伝送との間の無線リソース割り当ての最適なトレードオフ、
−発見目的のための無線リソースの独占的な提供や、異なるＵＥからの発見情報伝送を区別するためのＵＥ特有のインデックスの使用を通じて、セル間干渉およびコンテンションを回避すること、
−（ｅＮＢ間およびＰＬＭＮ間インターフェースにわたる）限られた発見構成セットの可能な共有を通じて、セル間およびネットワークオペレータ間の発見を可能にし、近隣のセルによるサービス提供を受けるＵＥが、セルＡのシステムフレームについて知っているという条件で、セルＡ内の発見通知および発見情報伝送を傾聴できるようにすること、
−発見情報メッセージを輸送するための発見情報伝送のいかなる数もスケジュールできる可能性を通じて、様々なサイズの発見情報を可能にすること、
−ＳＩＢ（新しい発見構成）およびＲＲＣ（新しい発見通知）メッセージならびに発見可能ＵＥのみに対処するＭＡＣ（新しい制御要素）における後方互換性の追加を通じて、ＬＴＥシステムとの後方互換性（すなわち、レガシーの非発見可能なＵＥに影響を及ぼさないこと）、
−ａ）発見通知における細かな粒度またはより大きな粒度のスケジューリング情報のためのオプションを通じた、ｂ）（変更されたレガシーＤＣＩを使用した）物理層または（新しいＭＡＣ  ＣＥを使用した）ＭＡＣ層のリソース割り当てのためのオプションを通じた、信号伝達のスケーラビリティ、
−セルによるサービス提供を受ける任意のＵＥグループに対する異なる発見構成の定義を通じて、ＵＥグループの管理を可能にし、したがって、各グループに対する（上記で説明されるような）特定のトレードオフを可能にすること。
【０１４４】
この出願は、その開示はその全体が参照により本明細書に組み込まれる、２０１３年９月１１日に出願された英国特許出願第１３１６２０２．９号明細書からの優先権の利益に基づき、同優先権の利益を主張する。
上記実施形態の一部又は全部は、以下の付記のようにも記載されうるが、以下には限られない。
（付記１）
複数のシステムフレームを使用する通信システムにおける他の少なくとも１つの通信デバイスから直接、デバイス間、Ｄ２Ｄ、通信を受信するための通信デバイスであって、各システムフレームは、複数の無線フレームに細分され、各無線フレームは、複数のサブフレームに細分され、各サブフレームは、複数の通信リソースを含む、通信デバイスにおいて、
前記通信デバイス付近の前記他の少なくとも１つの通信デバイスによってＤ２Ｄ信号の通信用に指定された少なくとも１つの無線フレームを識別する情報を入手するための手段と、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴するための手段と、
前記傾聴手段によって、Ｄ２Ｄ信号が伝送される予定であるという表示が前記少なくとも１つの無線フレーム内に存在することが分かった際に、前記他の少なくとも１つの通信デバイスからＤ２Ｄ信号を受信するための手段と
を備える、通信デバイス。
（付記２）
Ｄ２Ｄ信号が伝送される予定であるという前記表示は、他の少なくとも１つの通信デバイスによってＤ２Ｄ信号の伝送用に割り当てられた通信リソース、および、他の少なくとも１つの通信デバイスによってＤ２Ｄ信号の伝送用に指定された少なくとも１つのサブフレーム、の少なくとも１つを識別する、付記１に記載の通信デバイス。
（付記３）
Ｄ２Ｄ信号が伝送される予定であるという前記表示は、少なくとも１つのサブフレームを識別し、前記少なくとも１つのサブフレームは、事前に定義された数のサブフレームを含む、付記２に記載の通信デバイス。
（付記４）
Ｄ２Ｄ信号が伝送される予定であるという前記表示は、現在の無線フレーム、または、前記現在の無線フレームおよび少なくとも１つの後続の無線フレームを含む連続無線フレームセットにおいて、前記他の少なくとも１つの通信デバイスによってＤ２Ｄ信号の伝送用に割り当てられた通信リソースを識別する、付記２または３に記載の通信デバイス。
（付記５）
前記連続無線フレームセットは、事前に定義された数の無線フレームを含む、付記４に記載の通信デバイス。
（付記６）
Ｄ２Ｄ信号が伝送される予定であるという前記表示は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを含む、付記２〜５のいずれか一項に記載の通信デバイス。
（付記７）
Ｄ２Ｄ信号が伝送される予定であるという前記表示は、他の複数の通信デバイスの各々に対し、その通信デバイスによってＤ２Ｄ信号の伝送用に割り当てられたそれぞれの通信リソース、および、その通信デバイスによってＤ２Ｄ信号の伝送用に指定された少なくとも１つのそれぞれのサブフレーム、の少なくとも１つを識別する、付記２〜６のいずれか一項に記載の通信デバイス。
（付記８）
前記入手手段は、基地局からブロードキャスト信号（例えば、システム情報ブロードキャスト信号）または専用信号（例えば、無線リソース制御、ＲＲＣ、信号）を受信することによって、指定された少なくとも１つの無線フレームを識別する前記情報を入手するように動作可能である、付記１〜７のいずれか一項に記載の通信デバイス。
（付記９）
前記傾聴手段は、前記指定された少なくとも１つの無線フレームの間、信号ブロードキャスト（例えば、基地局による）内で、Ｄ２Ｄ信号が伝送される予定であるという前記表示を受信するように動作可能である、付記１〜８のいずれか一項に記載の通信デバイス。
（付記１０）
前記傾聴手段は、ダウンリンク共有チャネル（例えば、物理ダウンリンク共有チャネルまたは「ＰＤＳＣＨ」）上で前記表示を受信するように動作可能である、付記１〜９のいずれか一項に記載の通信デバイス。
（付記１１）
前記傾聴手段は、ダウンリンク制御チャネル（例えば、物理ダウンリンク制御チャネルまたは「ＰＤＣＣＨ」）上で前記表示を受信するように動作可能である、付記１〜１０のいずれか一項に記載の通信デバイス。
（付記１２）
前記入手手段は、前記通信システムに対する識別子（例えば、発見／Ｄ２Ｄ無線ネットワーク識別子）を入手するように動作可能であり、前記表示には、前記通信システムに対する前記識別子によってスクランブルをかける、付記１〜１１のいずれか一項に記載の通信デバイス。
（付記１３）
特定のシステムフレームの各無線フレームは、インデックス番号（例えば、システムフレームインデックス番号または「ＳＦＮ」インデックス）によって一意的に識別し、Ｄ２Ｄ信号の通信用に指定された前記少なくとも１つの無線フレームを識別する前記情報は、指定された無線フレームの各々に対するそれぞれのインデックス番号を識別する情報を含む、付記１〜１２のいずれか一項に記載の通信デバイス。
（付記１４）
それぞれのインデックス番号を識別する前記情報は、Ｄ２Ｄ信号の通信用に指定された無線フレームの各々を識別するためのフレームパターン（例えば、発見／Ｄ２Ｄフレームパターン）を識別する情報を含む、付記１３に記載の通信デバイス。
（付記１５）
前記傾聴手段は、Ｄ２ＤアイドルモードまたはＤ２Ｄアクティブモードで選択的に動作したり、Ｄ２Ｄ信号の通信用に指定された前記少なくとも１つの無線フレームの間、前記Ｄ２Ｄアクティブモードに切り替えたりするように構成される、付記１〜１４のいずれか一項に記載の通信デバイス。
（付記１６）
前記入手手段は、前記通信デバイスが属する通信デバイスグループを一意的に識別する情報を入手するように動作可能である、付記１〜１５のいずれか一項に記載の通信デバイス。
（付記１７）
前記表示には、前記グループを一意的に識別する前記情報によってスクランブルをかける、付記１６に記載の通信デバイス。
（付記１８）
Ｄ２Ｄ信号の通信用に指定された前記少なくとも１つの無線フレームは、前記グループの前記通信デバイスによるＤ２Ｄ信号の通信のために確保される、付記１６または１７に記載の通信デバイス。
（付記１９）
前記Ｄ２Ｄ信号は、前記他の少なくとも１つの通信デバイスが前記通信デバイス付近にあることを示す発見信号を含む、付記１〜１８のいずれか一項に記載の通信デバイス。
（付記２０）
複数のシステムフレームを使用する通信システムにおける他の少なくとも１つの通信デバイスが受信するためのデバイス間、Ｄ２Ｄ、通信を伝送するための通信デバイスであって、各システムフレームは、複数の無線フレームに細分され、各無線フレームは、複数のサブフレームに細分され、各サブフレームは、複数の通信リソースに細分される、通信デバイスにおいて、
Ｄ２Ｄ信号の通信用に指定された少なくとも１つの無線フレームを識別する情報を入手するための手段と、
前記通信デバイス付近の前記他の少なくとも１つの通信デバイスへの前記通信デバイスによるＤ２Ｄ信号の伝送用の少なくとも１つの通信リソースの割り当てを要求するための手段と、
前記指定された少なくとも１つの無線フレーム内で前記Ｄ２Ｄ信号の前記通信用に割り当てられた通信リソースを識別する情報を受信するための手段と、
付近の前記他の少なくとも１つの通信デバイスが受信するため、前記指定された少なくとも１つの無線フレームで前記割り当てられた通信リソースを使用して、Ｄ２Ｄ信号を伝送するための手段と
を備える、通信デバイス。
（付記２１）
前記要求手段は、アップリンクチャネル（例えば、物理アップリンク共有チャネルまたは「ＰＵＳＣＨ」）上で信号メッセージを基地局に送信することによって、前記少なくとも１つの通信リソースの前記割り当てを要求するように動作可能である、付記２０に記載の通信デバイス。
（付記２２）
前記要求手段は、少なくとも１つのメディアアクセス制御、ＭＡＣ、制御要素、ＣＥ（例えば、「Ｄ２Ｄリソース要求」ＣＥまたは「発見リソース要求」ＣＥ）を基地局に送信することによって、前記少なくとも１つの通信リソースの前記割り当てを要求するように動作可能である、付記２０または２１に記載の通信デバイス。
（付記２３）
前記少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかける、付記２２に記載の通信デバイス。
（付記２４）
前記受信手段は、ダウンリンクチャネル（例えば、物理ダウンリンク制御チャネル、ＰＤＣＣＨ、または物理ダウンリンク共有チャネル、ＰＤＳＣＨ）を介して基地局から制御情報を受信するように動作可能であり、前記制御情報は、前記Ｄ２Ｄ信号の前記通信用に割り当てられた通信リソースを識別する前記情報を含む、付記２０〜２３のいずれか一項に記載の通信デバイス。
（付記２５）
前記制御情報は、少なくとも１つのダウンリンク制御情報、ＤＣＩ、フォーマットパラメータを含む、付記２４に記載の通信デバイス。
（付記２６）
前記少なくとも１つのＤＣＩフォーマットパラメータには、前記通信システムにおける前記通信デバイスに対する前記一時識別子（例えば、セル−無線ネットワーク一時識別子または「ＣＲＮＴＩ」もしくは「Ｔ−ＣＲＮＴＩ」）を使用してスクランブルをかける、付記２５に記載の通信デバイス。
（付記２７）
前記制御情報は、少なくとも１つのＭＡＣ  ＣＥ（例えば、「Ｄ２Ｄリソース応答」ＣＥまたは「発見リソース応答」ＣＥ）を含む、付記２４に記載の通信デバイス。
（付記２８）
前記少なくとも１つのＭＡＣ  ＣＥには、前記通信システムにおける前記通信デバイスに対する前記一時識別子（例えば、セル−無線ネットワーク一時識別子または「ＣＲＮＴＩ」もしくは「Ｔ−ＣＲＮＴＩ」）を使用してスクランブルをかける、付記２７に記載の通信デバイス。
（付記２９）
前記伝送手段は、付近の前記他の少なくとも１つの通信デバイスが受信するため、アップリンクチャネル（例えば、物理アップリンク共有チャネルまたは「ＰＵＳＣＨ」）上で、前記Ｄ２Ｄ信号を伝送するように動作可能である、付記２０〜２８のいずれか一項に記載の通信デバイス。
（付記３０）
前記指定された少なくとも１つの無線フレームは、現在の無線フレーム、または、前記現在の無線フレームおよび少なくとも１つの後続の無線フレームを含む連続無線フレームセット、を含む、付記２０〜２９のいずれか一項に記載の通信デバイス。
（付記３１）
前記通信システムに対する識別子（例えば、発見／Ｄ２Ｄ無線ネットワーク識別子）を入手するための手段をさらに備え、前記Ｄ２Ｄ信号には、前記通信システムに対する前記識別子によってスクランブルをかける、付記２０〜３０のいずれか一項に記載の通信デバイス。
（付記３２）
前記通信システムに対する前記識別子は、前記通信デバイスに一意的に割り当てられたオフセットパラメータを含む、付記３１に記載の通信デバイス。
（付記３３）
前記Ｄ２Ｄ信号の前記通信用に割り当てられた通信リソースを識別する情報は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを含む、付記２０〜３２のいずれか一項に記載の通信デバイス。
（付記３４）
前記Ｄ２Ｄ信号は、前記通信デバイス付近の前記他の少なくとも１つの通信デバイスに前記通信デバイスのプレゼンスを示すための発見信号を含む、付記２０〜３３のいずれか一項に記載の通信デバイス。
（付記３５）
ロングタームエボリューション、ＬＴＥ、規格による、携帯電話、タブレットコンピュータおよび他のユーザ機器の少なくとも１つを含む、付記１〜３４のいずれか一項に記載の通信デバイス。
（付記３６）
複数のシステムフレームを使用する通信システムにおける通信デバイス間のデバイス間、Ｄ２Ｄ、直接通信を制御するための装置であって、各システムフレームは、複数の無線フレームに細分され、各無線フレームは、複数のサブフレームに細分され、各サブフレームは、複数の通信リソースに細分される、装置において、
セルを操作するための手段と、
前記通信デバイスの少なくとも１つによってＤ２Ｄ信号の通信用に指定された少なくとも１つの無線フレームを識別する情報を、前記セル内で、前記通信デバイスの他の少なくとも１つに伝送する手段と、
第１の通信デバイス付近の他の少なくとも１つの通信デバイスへの前記第１の通信デバイスによるＤ２Ｄ信号の伝送用の少なくとも１つの通信リソースの割り当てに対する要求を受信する手段と
を備え、
前記伝送手段は、
前記要求に応答して、前記指定された少なくとも１つの無線フレーム内で前記Ｄ２Ｄ信号の前記通信用に割り当てられた通信リソースを識別する情報を、前記第１の通信デバイスに伝送し、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送する
ように構成される、装置。
（付記３７）
前記受信手段は、前記第１の通信デバイスから、アップリンクチャネル（例えば、物理アップリンク共有チャネルまたは「ＰＵＳＣＨ」）上で少なくとも１つの信号メッセージを受信することによって前記要求を受信するように動作可能である、付記３６に記載の装置。
（付記３８）
前記受信手段は、前記第１の通信デバイスから、少なくとも１つのメディアアクセス制御、ＭＡＣ、制御要素、ＣＥ、（例えば、「Ｄ２Ｄリソース要求」ＣＥまたは「発見リソース要求」ＣＥ）を受信することによって前記要求を受信するように動作可能である、付記３６または３７に記載の装置。
（付記３９）
前記少なくとも１つのＭＡＣ  ＣＥには、前記通信システムにおける前記通信デバイスに対する一時識別子（例えば、セル−無線ネットワーク一時識別子または「ＣＲＮＴＩ」もしくは「Ｔ−ＣＲＮＴＩ」）を使用してスクランブルをかける、付記３８に記載の装置。
（付記４０）
前記伝送手段は、前記割り当てられた通信リソースを識別する少なくとも１つのダウンリンク制御情報、ＤＣＩ、フォーマットパラメータを前記通信デバイスの前記少なくとも１つに送信することによって、前記Ｄ２Ｄ信号の前記通信用に割り当てられた通信リソースを識別する前記情報を伝送するように動作可能である、付記３６〜３９のいずれか一項に記載の装置。
（付記４１）
前記少なくとも１つのＤＣＩフォーマットパラメータには、前記通信システムにおける前記第１の通信デバイスに対する一時識別子（例えば、セル−無線ネットワーク一時識別子または「ＣＲＮＴＩ」もしくは「Ｔ−ＣＲＮＴＩ」）を使用してスクランブルをかける、付記４０に記載の装置。
（付記４２）
前記伝送手段は、少なくとも１つのＭＡＣ  ＣＥ（例えば、「Ｄ２Ｄリソース応答」ＣＥまたは「発見リソース応答」ＣＥ）を前記通信デバイスの前記少なくとも１つに送信することによって、前記Ｄ２Ｄ信号の前記通信用に割り当てられた通信リソースを識別する前記情報を伝送するように動作可能である、付記３６〜４１のいずれか一項に記載の装置。
（付記４３）
前記少なくとも１つのＭＡＣ  ＣＥには、前記通信システムにおける前記第１の通信デバイスに対する前記一時識別子（例えば、セル−無線ネットワーク一時識別子または「ＣＲＮＴＩ」もしくは「Ｔ−ＣＲＮＴＩ」）を使用してスクランブルをかける、付記４２に記載の装置。
（付記４４）
前記少なくとも１つの割り当てられた通信リソースは、アップリンクチャネル（例えば、物理アップリンク共有チャネルまたは「ＰＵＳＣＨ」）で割り当てられた通信リソースを含む、付記３６〜４３のいずれか一項に記載の装置。
（付記４５）
前記伝送手段は、ダウンリンクチャネル（例えば、物理ダウンリンク制御チャネル、ＰＤＣＣＨ、または物理ダウンリンク共有チャネル、ＰＤＳＣＨ）上で前記表示を伝送するように動作可能である、付記３６〜４４のいずれか一項に記載の装置。
（付記４６）
前記少なくとも１つの割り当てられた通信リソースは、現在の無線フレーム、または、前記現在の無線フレームおよび少なくとも１つの後続の無線フレームを含む連続無線フレームセット、の通信リソースを含む、付記３６〜４５のいずれか一項に記載の装置。
（付記４７）
前記伝送手段は、前記通信システムに対する識別子（例えば、発見／Ｄ２Ｄ無線ネットワーク識別子）を使用して前記Ｄ２Ｄ信号にスクランブルをかけるため、前記通信システムに対する前記識別子を前記通信デバイスに伝送するように動作可能である、付記３６〜４６のいずれか一項に記載の装置。
（付記４８）
前記通信システムに対する前記識別子は、各通信デバイスに一意的に割り当てられたそれぞれのオフセットパラメータを含む、付記４７に記載の装置。
（付記４９）
前記Ｄ２Ｄ信号の前記通信用に割り当てられた通信リソースを識別する前記情報は、無線フレーム識別子（例えば、無線フレームインデックス番号または「ＳＦＮ」）、サブフレーム識別子（例えば、サブフレームインデックス番号）、リソースブロック識別子、および、前記Ｄ２Ｄ信号の伝送の間に使用される予定の伝送電力の特性、の少なくとも１つを一意的に識別するパラメータセットの表示を含む、付記３６〜４８のいずれか一項に記載の装置。
（付記５０）
前記伝送手段は、前記他の少なくとも１つの通信デバイスに、ブロードキャスト信号（例えば、システム情報ブロードキャスト信号）または専用信号（例えば、無線リソース制御、ＲＲＣ、信号）を伝送することによって、前記表示を伝送するように動作可能である、付記３６〜４９のいずれか一項に記載の装置。
（付記５１）
前記伝送手段は、Ｄ２Ｄ信号の通信用に指定された前記少なくとも１つの無線フレームの間、ブロードキャスト信号を伝送することによって、前記表示を伝送するように動作可能である、付記３６〜５０のいずれか一項に記載の装置。
（付記５２）
前記伝送手段は、ダウンリンク共有チャネル（例えば、物理ダウンリンク共有チャネルまたは「ＰＤＳＣＨ」）上で前記表示を伝送するように動作可能である、付記３６〜５１のいずれか一項に記載の装置。
（付記５３）
前記伝送手段は、ダウンリンク制御チャネル（例えば、物理ダウンリンク制御チャネルまたは「ＰＤＣＣＨ」）上で前記表示を伝送するように動作可能である、付記３６〜５２のいずれか一項に記載の装置。
（付記５４）
前記伝送手段は、前記通信システムに対する識別子（例えば、発見／Ｄ２Ｄ無線ネットワーク識別子）を伝送するように動作可能であり、前記表示には、前記通信システムに対する前記識別子によってスクランブルをかける、付記３６〜５３のいずれか一項に記載の装置。
（付記５５）
特定のシステムフレームの各無線フレームは、インデックス番号（例えば、システムフレームインデックス番号または「ＳＦＮ」インデックス）によって一意的に識別し、Ｄ２Ｄ信号の通信用に指定された前記少なくとも１つの無線フレームを識別する前記情報は、指定された無線フレームの各々に対するそれぞれのインデックス番号を識別する情報を含む、付記３６〜５４のいずれか一項に記載の装置。
（付記５６）
それぞれのインデックス番号を識別する前記情報は、Ｄ２Ｄ信号の通信用に指定された無線フレームの各々を識別するためのフレームパターン（例えば、発見／Ｄ２Ｄフレームパターン）を識別する情報を含む、付記５５に記載の装置。
（付記５７）
前記表示は、Ｄ２Ｄ信号の通信用に指定された前記少なくとも１つの無線フレームの少なくとも１つのサブフレームを識別する、付記３６〜５６のいずれか一項に記載の装置。
（付記５８）
前記少なくとも１つのサブフレームセットは、事前に定義された数のサブフレームを含む、付記５７に記載の装置。
（付記５９）
前記指定された少なくとも１つの無線フレームは、現在の無線フレーム、または、前記現在の無線フレームおよび少なくとも１つの後続の無線フレームを含む連続無線フレームセット、を含む、付記３６〜５８のいずれか一項に記載の装置。
（付記６０）
前記連続無線フレームセットは、事前に定義された数の無線フレームを含む、付記５９に記載の装置。
（付記６１）
前記表示は、前記第１の通信デバイスによってＤ２Ｄ信号の前記伝送用に割り当てられた特定の通信リソースを識別する、付記３６〜６０のいずれか一項に記載の装置。
（付記６２）
特定の通信リソースの前記表示は、無線フレーム識別子（例えば、無線フレームインデックス番号または「ＳＦＮ」）、サブフレーム識別子（例えば、サブフレームインデックス番号）、リソースブロック識別子、および、前記第１の通信デバイスによる前記Ｄ２Ｄ信号の伝送の間に使用される予定の伝送電力の特性、の少なくとも１つを含む、付記６１に記載の装置。
（付記６３）
前記伝送手段は、前記第１の通信デバイスおよび前記他の少なくとも１つの通信デバイスが属する通信デバイスグループを一意的に識別する情報を伝送するように動作可能である、付記３６〜６２のいずれか一項に記載の装置。
（付記６４）
前記表示には、前記グループを一意的に識別する前記情報によってスクランブルをかける、付記６３に記載の装置。
（付記６５）
Ｄ２Ｄ信号の通信用に指定された前記少なくとも１つの無線フレームは、前記グループの前記通信デバイスによるＤ２Ｄ信号の通信のために確保される、付記６３または６４に記載の装置。
（付記６６）
前記Ｄ２Ｄ信号は、第１の通信デバイス付近の他の少なくとも１つの通信デバイスに前記第１の通信デバイスのプレゼンスを示すための発見信号を含む、付記３６〜６５のいずれか一項に記載の装置。
（付記６７）
ロングタームエボリューション、ＬＴＥ、規格による、基地局およびユーザ機器（例えば、クラスタヘッドユーザ機器）の少なくとも１つを含む、付記３６〜６６のいずれか一項に記載の装置。
（付記６８）
付記１〜３５のいずれか一項に記載の少なくとも１つの通信デバイスと、付記３６〜６７のいずれか一項に記載の装置とを備えるシステム。
（付記６９）
複数のシステムフレームを使用する通信システムにおける他の少なくとも１つの通信デバイスから直接、デバイス間、Ｄ２Ｄ、通信を受信するための通信デバイスであって、各システムフレームは、複数の無線フレームに細分され、各無線フレームは、複数のサブフレームに細分され、各サブフレームは、複数の通信リソースを含む、通信デバイスにおいて、
プロセッサとトランシーバとを備え、
前記プロセッサは、
前記通信デバイス付近の前記他の少なくとも１つの通信デバイスによってＤ２Ｄ信号の通信用に指定された少なくとも１つの無線フレームを識別する情報を入手する
ように構成され、
前記トランシーバは、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴し、
Ｄ２Ｄ信号が伝送される予定であるという表示が前記少なくとも１つの無線フレーム内に存在することが分かった際に、前記他の少なくとも１つの通信デバイスからＤ２Ｄ信号を受信する
ように構成される、通信デバイス。
（付記７０）
複数のシステムフレームを使用する通信システムにおける他の少なくとも１つの通信デバイスが受信するためのデバイス間、Ｄ２Ｄ、通信を伝送するための通信デバイスであって、各システムフレームは、複数の無線フレームに細分され、各無線フレームは、複数のサブフレームに細分され、各サブフレームは、複数の通信リソースに細分される、通信デバイスにおいて、
プロセッサとトランシーバとを備え、
前記プロセッサは、
Ｄ２Ｄ信号の通信用に指定された少なくとも１つの無線フレームを識別する情報を入手する
ように構成され、
前記トランシーバは、
前記通信デバイス付近の前記他の少なくとも１つの通信デバイスへの前記通信デバイスによるＤ２Ｄ信号の伝送用の少なくとも１つの通信リソースの割り当てを要求し、
前記指定された少なくとも１つの無線フレーム内で前記Ｄ２Ｄ信号の前記通信用に割り当てられた通信リソースを識別する情報を受信し、
付近の前記他の少なくとも１つの通信デバイスが受信するため、前記指定された少なくとも１つの無線フレームで前記割り当てられた通信リソースを使用して、Ｄ２Ｄ信号を伝送する
ように構成される、通信デバイス。
（付記７１）
複数のシステムフレームを使用する通信システムにおける通信デバイス間のデバイス間、Ｄ２Ｄ、直接通信を制御するための装置であって、各システムフレームは、複数の無線フレームに細分され、各無線フレームは、複数のサブフレームに細分され、各サブフレームは、複数の通信リソースに細分される、装置において、
プロセッサとトランシーバとを備え、
前記トランシーバは、
前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送し、
第１の通信デバイス付近の他の少なくとも１つの通信デバイスへの前記第１の通信デバイスによるＤ２Ｄ信号の伝送用の少なくとも１つの通信リソースの割り当てに対する要求を受信し、
前記要求に応答して、前記指定された少なくとも１つの無線フレーム内で前記Ｄ２Ｄ信号の前記通信用に割り当てられた通信リソースを識別する情報を前記第１の通信デバイスに伝送し、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送する
ように動作可能である、装置。
（付記７２）
複数のシステムフレームを使用する通信システムにおける他の少なくとも１つの通信デバイスから直接、デバイス間、Ｄ２Ｄ、通信を受信するための通信デバイスによって実行される方法であって、各システムフレームは、複数の無線フレームに細分され、各無線フレームは、複数のサブフレームに細分され、各サブフレームは、複数の通信リソースを含む、方法において、
前記通信デバイス付近の前記他の少なくとも１つの通信デバイスによってＤ２Ｄ信号の通信用に指定された少なくとも１つの無線フレームを識別する情報を入手するステップと、
前記指定された少なくとも１つの無線フレーム内で他の少なくとも１つの通信デバイスからＤ２Ｄ信号が伝送される予定であるという表示を、前記指定された少なくとも１つの無線フレーム内で傾聴するステップと、
前記傾聴の間に、Ｄ２Ｄ信号が伝送される予定であるという表示が前記少なくとも１つの無線フレーム内に存在することが分かった際に、前記他の少なくとも１つの通信デバイスからＤ２Ｄ信号を受信するステップと
を含む、方法。
（付記７３）
複数のシステムフレームを使用する通信システムにおける他の少なくとも１つの通信デバイスが受信するためのデバイス間、Ｄ２Ｄ、通信を伝送するための通信デバイスによって実行される方法であって、各システムフレームは、複数の無線フレームに細分され、各無線フレームは、複数のサブフレームに細分され、各サブフレームは、複数の通信リソースに細分される、方法において、
Ｄ２Ｄ信号の通信用に指定された少なくとも１つの無線フレームを識別する情報を入手するステップと、
前記通信デバイス付近の前記他の少なくとも１つの通信デバイスへの前記通信デバイスによるＤ２Ｄ信号の伝送用の少なくとも１つの通信リソースの割り当てを要求するステップと、
前記指定された少なくとも１つの無線フレーム内で前記Ｄ２Ｄ信号の前記通信用に割り当てられた通信リソースを識別する情報を受信するステップと、
付近の前記他の少なくとも１つの通信デバイスが受信するため、前記指定された少なくとも１つの無線フレームで前記割り当てられた通信リソースを使用して、Ｄ２Ｄ信号を伝送するステップと
を含む、方法。
（付記７４）
複数のシステムフレームを使用する通信システムにおける通信デバイス間のデバイス間、Ｄ２Ｄ、直接通信を制御するための装置によって実行される方法であって、各システムフレームは、複数の無線フレームに細分され、各無線フレームは、複数のサブフレームに細分され、各サブフレームは、複数の通信リソースに細分される、方法において、
前記通信デバイスの少なくとも１つによってＤ２Ｄ信号の通信用に指定された少なくとも１つの無線フレームを識別する情報を、前記装置によって操作されるセル内で、前記通信デバイスの他の少なくとも１つに伝送するステップと、
第１の通信デバイス付近の他の少なくとも１つの通信デバイスへの前記第１の通信デバイスによるＤ２Ｄ信号の伝送用の少なくとも１つの通信リソースの割り当てに対する要求を受信するステップと、
前記要求に応答して、前記指定された少なくとも１つの無線フレーム内で前記Ｄ２Ｄ信号の前記通信用に割り当てられた通信リソースを識別する情報を前記第１の通信デバイスに伝送するステップと、
前記指定された少なくとも１つの無線フレーム内でＤ２Ｄ信号が伝送される予定であるという表示を、前記第１の通信デバイス付近の前記他の少なくとも１つの通信デバイスが受信するため、前記指定された少なくとも１つの無線フレーム内で、伝送するステップと
を含む、方法。
（付記７５）
付記７２〜７４のいずれか一項に記載の方法をプログラマブル通信デバイスに実行させるためのコンピュータ実装可能命令を含むコンピュータ実装可能命令製品。
【符号の説明】
【０１４５】
１  モバイルテレコミュニケーションシステム
３−１、３−２、３−３、３−４  携帯電話
５  基地局
６  セル
７  コアネットワーク
８  インターネット
９  ＰｒｏＳｅサーバ
３１、５１  トランシーバ回路
３３、５３  アンテナ
３５  ユーザインターフェース
３７、５７  コントローラ
３９、５９  メモリ
４１、６１  オペレーティングシステム
４３、６３  通信制御モジュール
４５  Ｄ２Ｄモジュール
４７  発見モジュール
５５  ネットワークインターフェース
６５  発見制御モジュール
６７  発見構成モジュール
【図１】
2018170787.tif 000003
【図２】
2018170787.tif 000004
【図３】
2018170787.tif 000005
【図４】
2018170787.tif 000006
【図５】
2018170787.tif 000007
【図６】
2018170787.tif 000008
【図７】
2018170787.tif 000009
【手続補正書】
【提出日】平成30年9月7日(2018.9.7)
【手続補正１】
【補正対象書類名】特許請求の範囲
【補正対象項目名】全文
【補正方法】変更
【補正の内容】
【特許請求の範囲】
【請求項１】
ＰｒｏＳｅ（Proximity Services）通信用のユーザ装置（User Equipment，ＵＥ）により実行される方法であって、
ＰｒｏＳｅに関する発見メッセージの伝送用のピリオドを識別する情報を取得し、
前記ＵＥによるＰｒｏＳｅに関する発見メッセージの伝送用の少なくとも１つの通信リソースの割り当てを要求し、
前記ピリオド内に、前記ＰｒｏＳｅに関する発見メッセージの伝送用に割り当てられた通信リソースを識別する情報を受信し、
前記ピリオド内に、他の少なくとも１つのＵＥによる受信のために、前記ＰｒｏＳｅに関する発見メッセージを伝送する、
方法。
【請求項２】
前記ＰｒｏＳｅに関する発見メッセージの伝送用のピリオドを識別する情報を取得することは、ＰｒｏＳｅに関する発見メッセージの伝送用の前記ピリオドを識別する情報を含む、少なくとも１つの無線リソース制御（Radio Resource Control，ＲＲＣ）メッセージを、受信することである、
請求項１に記載の方法。
【請求項３】
前記ＰｒｏＳｅに関する発見メッセージの伝送用の前記ピリオドは、複数の無線フレームのセットを含む、
請求項１に記載の方法。
【請求項４】
複数のユーザ装置（User Equipments，ＵＥｓ）間のＰｒｏＳｅ（Proximity Services）通信を制御する基地局（Base Station，ｅＮＢ）により実行される方法であって、
ＰｒｏＳｅに関する発見メッセージの伝送用のピリオドを識別する情報を伝送し、
ＵＥによるＰｒｏＳｅに関する発見メッセージの伝送用の少なくとも１つの通信リソースを割り当てる要求を受信し、
前記ピリオド内に、前記ＰｒｏＳｅに関する発見メッセージの伝送用に割り当てられた通信リソースを識別する情報を、前記複数のＵＥｓのうちの１つに、伝送する、
方法。
【請求項５】
前記ＰｒｏＳｅに関する発見メッセージの伝送用のピリオドを識別する情報を伝送することは、ＰｒｏＳｅに関する発見メッセージの伝送用の前記ピリオドを識別する情報を含む、少なくとも１つの無線リソース制御（Radio Resource Control，ＲＲＣ）メッセージを、伝送することである、
請求項４に記載の方法。
【請求項６】
ＰｒｏＳｅに関する発見メッセージの伝送用の前記ピリオドは、複数の無線フレームのセットを含む、
請求項４に記載の方法。
【請求項７】
ＰｒｏＳｅ（Proximity Services）通信用のユーザ装置（User Equipment，ＵＥ）であって、
ＰｒｏＳｅに関する発見メッセージの伝送用のピリオドを識別する情報を取得する手段と、
前記ＵＥによるＰｒｏＳｅに関する発見メッセージの伝送用の少なくとも１つの通信リソースの割り当てを要求する手段と、
前記ピリオド内に、前記ＰｒｏＳｅに関する発見メッセージの伝送用に割り当てられた通信リソースを識別する情報を受信する手段と、
前記ピリオド内に、他の少なくとも１つのＵＥによる受信のために、前記ＰｒｏＳｅに関する発見メッセージを伝送する手段と、
を含む、ＵＥ。
【請求項８】
複数のユーザ装置（User Equipments，ＵＥｓ）間のＰｒｏＳｅ（Proximity Services）通信を制御する基地局（Base Station，ｅＮＢ）であって、
ＰｒｏＳｅに関する発見メッセージの伝送用のピリオドを識別する情報を伝送する手段と、
ＵＥによるＰｒｏＳｅに関する発見メッセージの伝送用の少なくとも１つの通信リソースを割り当てる要求を受信する手段と、
前記ピリオド内に、前記ＰｒｏＳｅに関する発見メッセージの伝送用に割り当てられた通信リソースを識別する情報を、前記複数のＵＥｓのうちの１つに、伝送する手段と、
を含む、ｅＮＢ。
【請求項９】
請求項１から６のいずれか１項に記載の方法をプログラマブル通信デバイスに実行させるためのプログラム。